(57)【特許請求の範囲】
【請求項１】
上部から紙幣を受け入れるとともに、下部に紙幣を一枚ずつ繰り出す紙幣繰出部が設けられたスタッカと、
該スタッカ内に昇降可能に設けられ、前記スタッカ内に受け入れた紙幣を載置させる一方、載置させた紙幣を落下可能な載置部材と、
前記スタッカの側部において昇降する昇降部材に連結され該昇降部材の昇降によって前記スタッカに対し退避・突出可能に設けられるとともに、前記スタッカ内に突出した状態において前記スタッカの前記載置部材より下側に収納された紙幣を上側から押圧するビルプレスと、
を有する紙幣入出金機において、
前記ビルプレスは、前記載置部材に接触可能とされ、前記昇降部材の上昇時に前記載置部材に接触すると該載置部材に押圧されて揺動することを特徴とする紙幣入出金機。
【請求項２】
前記ビルプレスは、
前記昇降部材に揺動可能に連結されるとともに、前記昇降部材の上昇時に前記載置部材に接触し該載置部材に押圧されて揺動するビルプレス本体部と、
該ビルプレス本体部の先端側に揺動可能に設けられて紙幣を押圧するビルプレス部材とを有し、
前記昇降部材の上昇時に前記載置部材に押圧されて揺動する前記ビルプレス本体部の揺動に連動して前記ビルプレス部材を前記ビルプレス本体部に格納する方向に揺動させることを特徴とする請求項１記載の紙幣入出金機。
【請求項３】
前記ビルプレス本体部は、
前記昇降部材に揺動可能に連結されるとともに前記ビルプレス部材を揺動可能に支持するビルプレス本体と、
前記昇降部材に揺動可能に連結されるとともに前記ビルプレス部材に連結され、前記昇降部材の上昇時に前記載置部材に接触し該載置部材に押圧されて前記ビルプレス部材を揺動させつつ前記ビルプレス本体を揺動させるリンク部材と、
を有することを特徴とする請求項２記載の紙幣入出金機。
【請求項４】
前記ビルプレス本体部は、
前記昇降部材に揺動可能に連結されるとともに前記ビルプレス部材を揺動可能に支持するビルプレス本体と、
前記昇降部材に揺動可能に連結されるとともに前記ビルプレス部材に連結されさらに前記ビルプレス本体に形成された長孔に挿通されて、前記昇降部材の上昇時に揺動する前記ビルプレス本体の揺動により前記長孔内を移動することで前記ビルプレス部材を揺動させるリンク部材と、
を有することを特徴とする請求項２記載の紙幣入出金機。
【請求項５】
前記ビルプレス部材として第１のビルプレス部材および第２のビルプレス部材を有し、
前記ビルプレス本体部は、
前記昇降部材に揺動可能に連結されるとともに前記第１のビルプレス部材および前記第２のビルプレス部材を揺動可能に支持するビルプレス本体と、
前記昇降部材に揺動可能に連結されるとともに前記第１のビルプレス部材に連結され、前記昇降部材の上昇時に前記載置部材に接触し該載置部材に押圧されて前記第１のビルプレス部材を揺動させつつ前記ビルプレス本体を揺動させる第１のリンク部材と、
前記昇降部材に揺動可能に連結されるとともに前記第２のビルプレス部材に連結されさらに前記ビルプレス本体に形成された長孔に挿通されて、前記昇降部材の上昇時に揺動する前記ビルプレス本体の揺動により前記長孔内を移動することで前記第２のビルプレス部材を揺動させる第２のリンク部材と、
を有することを特徴とする請求項２記載の紙幣入出金機。
【請求項６】
前記載置部材の前記ビルプレスを接触させる位置には、接触移動時の摩擦を軽減する摩擦軽減部材が設けられていることを特徴とする請求項１乃至５のいずれか一項記載の紙幣入出金機。
【発明の詳細な説明】
【０００１】
【発明の属する技術分野】
本発明は、入金された紙幣を収納する一方、収納した紙幣を出金用として繰り出す還流式の紙幣入出金機に関する。
【０００２】
【従来の技術】
従来、銀行等の金融機関では、入金する紙幣を一枚ずつ取り込むとともに、その取り込んだ紙幣の金種等を識別し振り分けて、金種別に設けられるスタッカの上部の一時貯留部にその入金が確定するまで一時貯留させるとともに、入金の確定後、その紙幣をスタッカの下部の収納繰出部に収納する一方、収納繰出部に収納した紙幣を、出金処理において出金用の紙幣として下部の紙幣繰出部から一枚ずつ繰り出させる還流式の紙幣入出金機が用いられている。このような紙幣入出金機としては、既に特開２０００−２１１８２４号公報に開示されたもの等がある。この公報に開示された紙幣入出金機は、スタッカの側部において昇降する昇降部材に連結され昇降部材の昇降によってスタッカに対し退避・突出可能に設けられたビルプレス部材を有しており、スタッカの収納繰出部における紙幣の枚数が減ってきた場合に、このビルプレス部材で紙幣を上側から押圧して紙幣繰出部による繰り出し作動を補助するようになっている。
【０００３】
【発明が解決しようとする課題】
ところで、本出願人は、スタッカ内における紙幣の枚数を確定する精査処理を行う際に、スタッカ内に開閉可能かつ昇降可能に設けられ、スタッカ内に受け入れた紙幣を閉状態で載置させる一方、開作動することで載置させた紙幣を落下させる載置部材を利用して、スタッカから繰り出した紙幣をそのスタッカ自身に戻すことを考えた。すなわち、精査処理時にスタッカの載置部材より下側の紙幣を繰り出させ、これら紙幣を同じスタッカの載置部材上に載置させるのである。そして、このときの載置部材の下降限度位置は、すべての紙幣を繰り出した後に退避するビルプレス部材に対し干渉しない位置に設定するように考えた。しかしながら、上記のように繰り出した紙幣を同じスタッカに戻すようにするためには、大量の紙幣を載置部材の上側に載置させなければならず、可能な限り載置部材の下降限度位置を下げる必要が生じた。
【０００４】
したがって、本発明は、載置部材の下降限度位置を下げることができる紙幣入出金機の提供を目的とする。
【０００５】
【課題を解決するための手段】
上記目的を達成するために、本発明の請求項１記載の紙幣入出金機は、上部から紙幣を受け入れるとともに、下部に紙幣を一枚ずつ繰り出す紙幣繰出部が設けられたスタッカと、該スタッカ内に昇降可能に設けられ、前記スタッカ内に受け入れた紙幣を載置させる一方、載置させた紙幣を落下可能な載置部材と、前記スタッカの側部において昇降する昇降部材に連結され該昇降部材の昇降によって前記スタッカに対し退避・突出可能に設けられるとともに、前記スタッカ内に突出した状態において前記スタッカの前記載置部材より下側に収納された紙幣を上側から押圧するビルプレスと、を有するものであって、前記ビルプレスは、前記載置部材に接触可能とされ、前記昇降部材の上昇時に前記載置部材に接触すると該載置部材に押圧されて揺動することを特徴としている。
【０００６】
このように、ビルプレスが、載置部材に接触可能とされ、昇降部材の上昇時に載置部材に接触するとこの載置部材に押圧されて揺動するように構成されているため、ビルプレスを退避させる際に、ビルプレスの載置部材に接触しながらの退避が可能となる。
【０００７】
本発明の請求項２記載の紙幣入出金機は、請求項１記載のものに関して、前記ビルプレスは、前記昇降部材に揺動可能に連結されるとともに、前記昇降部材の上昇時に前記載置部材に接触し該載置部材に押圧されて揺動するビルプレス本体部と、該ビルプレス本体部の先端側に揺動可能に設けられて紙幣を押圧するビルプレス部材とを有し、前記昇降部材の上昇時に前記載置部材に押圧されて揺動する前記ビルプレス本体部の揺動に連動して前記ビルプレス部材を前記ビルプレス本体部に格納する方向に揺動させることを特徴としている。
【０００８】
このように、昇降部材の上昇時に載置部材に押圧されて揺動するビルプレス本体部の揺動に連動して、ビルプレス部材をビルプレス本体部に格納する方向に揺動させるため、ビルプレス部材が紙幣を効率的に押圧できるようにビルプレス本体部から突出するようにしても、昇降部材の上昇時に載置部材に押圧されてビルプレス本体部が揺動すると、この揺動に連動してビルプレス部材をビルプレス本体部に格納する方向に揺動させることができる。
【０００９】
本発明の請求項３記載の紙幣入出金機は、請求項２記載のものに関して、前記ビルプレス本体部は、前記昇降部材に揺動可能に連結されるとともに前記ビルプレス部材を揺動可能に支持するビルプレス本体と、前記昇降部材に揺動可能に連結されるとともに前記ビルプレス部材に連結され、前記昇降部材の上昇時に前記載置部材に接触し該載置部材に押圧されて前記ビルプレス部材を揺動させつつ前記ビルプレス本体を揺動させるリンク部材と、を有することを特徴としている。
【００１０】
このように、リンク部材が、昇降部材の上昇時に載置部材に接触しこの載置部材に押圧されてビルプレス部材を揺動させつつビルプレス本体を揺動させるため、このリンク部材を増やすのみで、ビルプレス本体部の揺動に連動してビルプレス部材をビルプレス本体部に格納する方向に揺動させることができる。
【００１１】
本発明の請求項４記載の紙幣入出金機は、請求項２記載のものに関して、前記ビルプレス本体部は、前記昇降部材に揺動可能に連結されるとともに前記ビルプレス部材を揺動可能に支持するビルプレス本体と、前記昇降部材に揺動可能に連結されるとともに前記ビルプレス部材に連結されさらに前記ビルプレス本体に形成された長孔に挿通されて、前記昇降部材の上昇時に揺動する前記ビルプレス本体の揺動により前記長孔内を移動することで前記ビルプレス部材を揺動させるリンク部材と、を有することを特徴としている。
【００１２】
このように、リンク部材が、昇降部材の上昇時に揺動するビルプレス本体の揺動により長孔内を移動することでビルプレス部材を揺動させるため、このリンク部材と長孔とを増やすのみで、ビルプレス本体部の揺動に連動してビルプレス部材をビルプレス本体部に格納する方向に揺動させることができる。
【００１３】
本発明の請求項５記載の紙幣入出金機は、請求項２記載のものに関して、前記ビルプレス部材として第１のビルプレス部材および第２のビルプレス部材を有し、前記ビルプレス本体部は、前記昇降部材に揺動可能に連結されるとともに前記第１のビルプレス部材および前記第２のビルプレス部材を揺動可能に支持するビルプレス本体と、前記昇降部材に揺動可能に連結されるとともに前記第１のビルプレス部材に連結され、前記昇降部材の上昇時に前記載置部材に接触し該載置部材に押圧されて前記第１のビルプレス部材を揺動させつつ前記ビルプレス本体を揺動させる第１のリンク部材と、前記昇降部材に揺動可能に連結されるとともに前記第２のビルプレス部材に連結されさらに前記ビルプレス本体に形成された長孔に挿通されて、前記昇降部材の上昇時に揺動する前記ビルプレス本体の揺動により前記長孔内を移動することで前記第２のビルプレス部材を揺動させる第２のリンク部材と、を有することを特徴としている。
【００１４】
このように、第１のリンク部材が、昇降部材の上昇時に載置部材に接触しこの載置部材に押圧されて第１のビルプレス部材を揺動させつつビルプレス本体を揺動させるため、この第１のリンク部材を増やすのみで、ビルプレス本体部の揺動に連動して第１のビルプレス部材をビルプレス本体部に格納する方向に揺動させることができる。また、このとき、第２のリンク部材が、昇降部材の上昇時に揺動するビルプレス本体の揺動により長孔内を移動することで第２のビルプレス部材を揺動させるため、この第２のリンク部材と長孔とを増やすのみで、ビルプレス本体部の揺動に連動して第２のビルプレス部材をビルプレス本体部に格納する方向に揺動させることができる。
【００１５】
本発明の請求項６記載の紙幣入出金機は、請求項１乃至５のいずれか一項記載のものに関して、前記載置部材の前記ビルプレスを接触させる位置には、接触移動時の摩擦を軽減する摩擦軽減部材が設けられていることを特徴としている。
【００１６】
このように、載置部材のビルプレスを接触させる位置に、接触移動時の摩擦を軽減する摩擦軽減部材が設けられているため、載置部材に接触させこの載置部材でビルプレスを揺動させるようにしても、これらの接触部分に生じる摩耗を低減することができる。
【００１７】
【発明の実施の形態】
本発明の紙幣入出金機の一実施形態である貨幣入出金機を図面を参照して以下に説明する。なお、図２，図７〜図１９における紙面下側と、図３〜図６における紙面左側とが、操作を行うオペレータ側すなわち前方（正面側）を示す。また、以下における「前」はオペレータ側、「後」はオペレータに対し反対側であり、左右は、オペレータ側から見たときの左右である。
【００１８】
この貨幣入出金機は、銀行等の金融機関のテラーカウンタの下側に配置され、左右の二人のテラー等のオペレータに共用で用いられるもので、図１に示すように、紙幣の入金、収納、回収および出金等、紙幣に関する各処理を行う紙幣入出金部１１と、硬貨の入金、収納、回収および出金等、硬貨に関する各処理を行う硬貨入出金部１２とが一体的に設けられたものである。
【００１９】
硬貨入出金部１２は、機体１０における上部に主として配置されており、紙幣入出金部１１と硬貨入出金部１２の一部とが、機体１０における下部に硬貨入出金部１２よりも前方に突出するように配置されている。なお、硬貨入出金部１２および紙幣入出金部１１は、機体１０の正面側に引き出し可能となっており、これらを機体１０に対しロックおよびロック解除する引出キー１３が紙幣入出金部１１の正面側に設けられている。
【００２０】
貨幣入出金機には、その機体１０の上面の正面（前面）側の左右両側に、上方に向いて、左右のオペレータにより各処理の操作が入力される操作部１４と処理状態等を表示する表示ランプ部１５とが設けられており、また、右側にのみ、処理のガイドメニュー、処理状態および処理結果等を表示する表示パネル１６が設けられている。なお、これら操作部１４、表示ランプ部１５および表示パネル１６は、硬貨入出金部１２および紙幣入出金部１１に対し共用とされている。
【００２１】
また、機体１０の上面の正面より若干後側の左右方向における中央には、硬貨入出金部１２に入金硬貨を投入するための硬貨入金口１７が設けられており、硬貨入出金部１２の下部すなわち紙幣入出金部１１側には、正面から後方に凹んで受皿挿入口１８が設けられている。この受皿挿入口１８には図示せぬ受皿が挿入されることになり、硬貨入出金部１２は、このように受皿挿入口１８に挿入された状態の受皿に硬貨の出金を行う。受皿挿入口１８と隣り合う位置にはリジェクト硬貨を返却するための硬貨リジェクト口１９が設けられている。
【００２２】
紙幣入出金部１１の硬貨入出金部１２よりも正面側に突出する部分の上面には、その最も正面側の左右方向の中央に、紙幣入出金部１１の内部から紙幣が送り出される紙幣出金口２０が設けられるとともに、この紙幣出金口２０の後に、入金する紙幣がオペレータによりセットされる紙幣入金口２１が設けられている。なお、紙幣出金口２０には、これを開閉するシャッタ２２が設けられている。ここで、紙幣入出金部１１のこれら紙幣出金口２０および紙幣入金口２１と隣り合う側方位置には、硬貨入出金部１２の一部である硬貨一括金庫２３が設けられている。この硬貨一括金庫２３は硬貨を収納するもので、機体１０に対し着脱可能とされており、この硬貨一括金庫２３の正面側には、これを機体１０に対しロックおよびロック解除する取出キー２３ａが設けられている。また、紙幣入出金部１１の下部正面には電源スイッチ２７が設けられている。
【００２３】
紙幣入出金部１１は、紙幣入金口２１にその長手方向を左右方向とした状態でセットされる紙幣を入金させて収納する入金処理を行うとともに、収納した紙幣を必要に応じて紙幣出金口２０ヘ出金させる出金処理等の紙幣における各処理を行う。
【００２４】
以下に、本発明の要部である紙幣入出金部について説明する。
図２に示すように、紙幣入出金部１１は、主として紙幣入金口２１から取り込まれた紙幣、あるいは紙幣出金口２０に向け出金させられる紙幣を搬送する上層ユニット２４と、入金され上層ユニット２４で搬送された紙幣を入金確定前に金種別に一時貯留させる中層ユニット２５と、中層ユニット２５に一時貯留させた紙幣を入金確定後に収納する一方、収納した紙幣を出金用として繰り出す下層ユニット２６とを有しており、これら上層ユニット２４、中層ユニット２５および下層ユニット２６は、それぞれ個別に貨幣入出金機の機体１０から正面側に引き出し可能とされている。
【００２５】
〔上層ユニット〕
上層ユニット２４は、入金処理時において入金紙幣がセットされ該セットされた入金紙幣を一枚ずつ機内に取り込む上記した紙幣入金口２１と、入金処理時等における識別不能なリジェクト紙幣が繰り出されるとともに、出金処理時において機内から出金紙幣が繰り出される上記した紙幣出金口２０と、この紙幣出金口２０を開閉する上記したシャッタ２２と、入金紙幣を必要な場所に搬送するとともに出金紙幣を必要に応じた場所に搬送する搬送路２８と、この搬送路２８の搬送途中に設けられ、入金処理時等において紙幣入金口２１から繰り出され搬送路２８で搬送される紙幣の真偽、金種、正損、重送および斜行の識別を行う識別部２９とを有している。なお、搬送路２８の途中には、識別部２９の識別結果から紙幣の表裏を判断し、紙幣の表裏を取り揃えるために必要により紙幣の表裏を反転させる表裏反転部３０が設けられている。
【００２６】
〔中層ユニット〕
中層ユニット２５には、上層ユニット２４の搬送路２８にそれぞれつながりこの搬送路２８から振り分けられた入金紙幣を上部から取り入れる各紙幣取入部３２が設けられており、また、これら紙幣取入部３２のそれぞれの前側に、入金紙幣を、その取り引きが確定するまで一時貯留させる複数具体的には三つの同形状の一時貯留部３３ａ，３３ｂ，３３ｃが、左右方向および高さ方向の位置を互いに合わせた状態で前後方向に位置をずらして直線状に配列されている。ここで、これら三つの一時貯留部３３ａ〜３３ｃは、紙幣取入部３２側からは紙幣の送り込みのみが可能となっており、紙幣取入部３２側への紙幣の繰り出しは不可となっている。なお、これら一時貯留部３３ａ〜３３ｃに一時貯留された紙幣を入金確定せずに返却する場合、中層ユニット２５を機体１０から引き出すことによって、これら一時貯留部３３ａ〜３３ｃをすべて機体１０の外側に露出させることになり、その結果、内部に一時貯留させた紙幣のオペレータによる取り出しを可能とする。
【００２７】
一時貯留部３３ａ〜３３ｃは、それぞれ、対応する紙幣取入部３２から紙幣を内部に取り込む略角筒状の筐体３５と、筐体３５の下部に設けられ、筐体３５内に取り込んだ一時貯留紙幣を表裏方向を上下方向にして、上下方向に順次集積させながら載置させる開閉可能な一対のシャッタ３６，３６とを有しており、一対のシャッタ３６，３６は高さが一定で水平移動することにより筐体３５の下部を開閉する。なお、筐体３５の内側のシャッタ３６，３６よりも上側の部分が紙幣を一時貯留させる貯留空間３７となっている。
【００２８】
〔下層ユニット〕
下層ユニット２６には、各一時貯留部３３ａ〜３３ｃの下側に、これらのうち対応するものに一時貯留された紙幣を入金確定後に受け入れて内部に収納する一方、内部に収納した紙幣を最下のものから一枚ずつ紙幣繰出部３９によって繰り出し可能な複数具体的には三つの同形状の収納繰出部３８ａ，３８ｂ，３８ｃが、左右方向および高さ方向の位置を互いに合わせた状態で前後方向に位置をずらして配列されている。
【００２９】
ここで、中層ユニット２５および下層ユニット２６がともに機体１０に適正に装填された状態で、各一時貯留部３３ａ〜３３ｃとそれぞれの真下の各収納繰出部３８ａ〜３８ｃとで一時貯留・収納繰出部（スタッカ）４０ａ〜４０ｃを構成することになり、同形状のこのような三つの一時貯留・収納繰出部４０ａ〜４０ｃが、左右方向および高さ方向の位置を互いに合わせた状態で前後方向に位置をずらして配列されることになる。
【００３０】
すなわち、最も前側の一時貯留部３３ａと最も前側の収納繰出部３８ａとが最も前側の一時貯留・収納繰出部４０ａを構成し、前から二番目の一時貯留部３３ｂと前から二番目の収納繰出部３８ｂとが前から二番目の一時貯留・収納繰出部４０ｂを構成し、前から三番目の一時貯留部３３ｃと前から三番目の収納繰出部３８ｃとが前から三番目の一時貯留・収納繰出部４０ｃを構成している。なお、これら三つの一時貯留・収納繰出部４０ａ〜４０ｃのうち、後側の二つは、金種別のものであり、具体的には前から二番目の一時貯留・収納繰出部４０ｂは流通量の多い万券（一万円札）用、前から三番目の一時貯留・収納繰出部４０ｃは流通量の多い千券（一千円札）用となっている。また、最も前側の一時貯留・収納繰出部４０ａは一金種のみに対応するものではなく、各処理に応じて適宜の紙幣を収納させたり補充用の紙幣を収納させる運用カセットとして使用され、通常は、入金された流通量の少ない五千券（五千円札）および二千券（二千円札）の複数金種を共用で収納させるようになっている。運用カセットとして使用されることから、収納繰出部３８ａ〜３８ｃのうち、最も前側の収納繰出部３８ａは、機体１０から引き出された下層ユニット２６に対し着脱可能とされており、残りの収納繰出部３８ｂ，３８ｃは、下層ユニット２６に対し固定されている。
【００３１】
下層ユニット２６には、前から三番目の一時貯留・収納繰出部４０ｃの後側において、中層ユニット２５を介して搬送路２８につながるとともに、すべての一時貯留・収納繰出部４０ａ〜４０ｃの下側を通って、最も前側の一時貯留・収納繰出部４０ａの前方で、中層ユニット２５を介して搬送路２８につながり、各収納繰出部３８ａ〜３８ｃから繰り出された出金紙幣等を搬送する搬送路４２が設けられている。搬送路４２の途中に、搬送する紙幣の金種、重送および斜行等を判別する判別部４３が設けられている。
【００３２】
さらに、下層ユニット２６には、出金処理時において搬送路４２で搬送される出金紙幣のうち判別部４３で重送あるいは斜行等の搬送異常と判別された出金紙幣を、繰り出し不可な状態で収納させるリジェクト収納部４４が、前方に開閉自在に設けられている。なお、下層ユニット２６の前面には、図１に示すように、リジェクト収納部４４内のリジェクト紙幣を取り外す際に開閉される扉４４ａとこれを開く際に必要なキー４４ｂとが設けられている。
【００３３】
収納繰出部３８ａ〜３８ｃは、それぞれ、一時貯留部３３ａ〜３３ｃのうちの対応する一つから一時貯留紙幣を内部に取り込む略角筒状の筐体４５を有しており、また、筐体４５内に昇降可能に設けられ、筐体４５内に取り込んだ収納紙幣を表裏方向を上下方向にして上下方向に集積させながら載置させる開閉可能な一対の扉式のフラッパ（載置部材）４６，４６を有している。
【００３４】
フラッパ４６，４６は、筐体４５の前後に互いに平行をなしかつ同高さとなるよう配置されるとともにこの状態でガイド軸４７，４７に沿って一体に昇降する支持軸４８，４８を有しており、これら支持軸４８，４８を中心に揺動する。そして、フラッパ４６，４６は、自身が互いの支持軸４８に対し反対の端部同士を近接させることにより共に筐体４５内で水平配置される閉状態となり、この状態で、一時貯留部３３ａ〜３３ｃの対応する一つから投入された紙幣をその上側に載置させる。また、フラッパ４６，４６は、この閉状態から下方に旋回することで開状態となると、載置させていた紙幣を、筐体４５内のこれらフラッパ４６，４６より下側の出金紙幣収納用の収納空間４９に落下させて収納させる。さらに、フラッパ４６，４６は、この開状態から上方に旋回することで閉状態に戻る。なお、収納空間４９の最下部に紙幣を搬送路４２に繰り出すための紙幣繰出部３９が設けられている。
【００３５】
一時貯留・収納繰出部４０ａの収納繰出部３８ａにおける筐体４５の直前位置、一時貯留・収納繰出部４０ｂの収納繰出部３８ｂにおける筐体４５の直前位置および一時貯留・収納繰出部４０ｃの収納繰出部３８ｃにおける筐体４５の直前位置には、それぞれ、図３〜図６に示す、直後位置にある筐体４５（図３〜図６においては図示略）内の収納空間４９に対し突出・退避可能なビルプレス１０１と、ビルプレス１０１を駆動するビルプレス駆動装置１０２とが設けられている。
【００３６】
ビルプレス駆動装置１０２は、一時貯留部３３ａ〜３３ｃの各筐体４５の直前位置にそれぞれ設けられるもので、左右方向に延在する状態で上下に離間して配置された一対の支持プーリ１０３，１０４と、支持プーリ１０３，１０４のいずれか一方を駆動する図示せぬ駆動モータと、一対の支持プーリ１０３，１０４に掛けられる昇降用ベルト１０５と、この昇降ベルト１０５に固定されることにより、図示せぬ駆動モータによるこの昇降ベルト１０５の回転で昇降するとともにビルプレス１０１が連結される昇降部材１０６と、昇降部材１０６の昇降軌跡にほぼ平行をなして延在するとともに、ビルプレス１０１の姿勢をその高さ位置に応じて制御するガイド板１０７とを有している。
【００３７】
ガイド板１０７は、中間所定位置から下部にかけて設けられた鉛直方向に沿う第１鉛直ガイド部１０９と、この第１鉛直ガイド部１０９の上側に設けられ上側に位置するほど後側に位置するように傾斜する傾斜ガイド部１１０と、この傾斜ガイド部１１０の上側に設けられた鉛直方向に沿う第２鉛直ガイド部１１１とを有している。
【００３８】
各ビルプレス駆動装置１０２の昇降部材１０６にそれぞれ連結されるビルプレス１０１は、左右方向に沿う回動軸１１３において昇降部材１０６に回動可能に支持されている。このビルプレス１０１は、回動軸１１３から上方に延出することで昇降部材１０６に揺動可能に連結された揺動部材１１４と、回動軸１１３から下方に延出することで昇降部材１０６に揺動可能に連結されたビルプレス本体１１５とを有している。
【００３９】
揺動部材１１４の回動軸１１３に対し反対側の端部には、左右方向に軸線が配置された回転可能なガイドローラ１１７が設けられており、揺動部材１１４は図示せぬバネ部材の付勢力でこのガイドローラ１１７を常にガイド板１０７に当接させている。
【００４０】
ここで、揺動部材１１４が回動軸１１３から上方に延出する状態で、揺動部材１１４の下方延長線に対し若干後側に所定の傾斜角度でビルプレス本体１１５がずれた姿勢（図３に示す姿勢）が、これら揺動部材１１４およびビルプレス本体１１５の相互基本姿勢となっている。なお、揺動部材１１４とビルプレス本体１１５とが、互いの角度関係がこのようになっている姿勢が相互基本姿勢であり、これらが回動軸１１３を中心に回転しても、これらが互いにこの姿勢（角度関係）にあれば、相互基本姿勢にあることにかわりはない。ビルプレス本体１１５は、この相互基本姿勢にある状態から揺動部材１１４に対し上記傾斜角度を大きくする方向（図３における反時計回り方向）の回動は図示せぬストッパで規制されており、揺動部材１１４に対し上記傾斜角度を小さくする方向（図３における時計回り方向）の回動は許容されるようになっている。そして、仮にこの方向に回動しても相互基本姿勢に戻る方向に図示せぬバネ部材で付勢されている。
【００４１】
ビルプレス本体１１５の回動軸１１３に対し反対側、すなわち先端側には、紙幣を押圧する第１ビルプレス部材（第１のビルプレス部材）１１９および第２ビルプレス部材（第２のビルプレス部材）１２０が、ともにビルプレス本体１１５に対し揺動可能に支持されている。
【００４２】
第１ビルプレス部材１１９は、ビルプレス本体１１５の先端部に左右方向に軸線を配置して位置固定で設けられたピン１２２に回動可能に支持されており、また、第１ビルプレス部材１１９には、このピン１２２と平行をなすようにビルプレス駆動装置１０２側にピン１２３が位置固定で設けられている。一方、昇降部材１０６の回動軸１１３より上側には連結軸１２４が左右方向に軸線を配置して設けられており、ピン１２３と連結軸１２４とには、中央に鈍角をなして屈曲する屈曲部１２５が形成された第１リンク部材（第１のリンク部材）１２６の両端部が回動可能に連結されている。
【００４３】
第２ビルプレス部材１２０は、ビルプレス本体１１５の先端側のピン１２２よりも回動軸１１３側に左右方向に軸線を配置して位置固定で設けられたピン１２８に回動可能に支持されている。一方、ビルプレス本体１１５には、円弧状をなす長孔１２９が形成されており、連結軸１２４に一端側が回動可能に連結された第２リンク部材（第２のリンク部材）１３０の他端の係合部１３１が第２ビルプレス部材１２０に回動可能に係合されつつ長孔１２９に挿通されている。
【００４４】
そして、図３に示すように、ガイド板１０７の第１鉛直ガイド部１０９にガイドローラ１１７が接触した状態において、揺動部材１１４に対し上記相互基本姿勢にあるビルプレス本体１１５は、直後位置の収納空間４９に突出する。このとき、第１リンク部材１２６により第１ビルプレス部材１１９はビルプレス本体１１５の下端部で略水平に沿う状態となり、その一部がビルプレス本体１１５よりもビルプレス駆動装置１０２側（前側）に突出する。また、このとき、長孔１２９の下端部に係合部１３１を位置させている第２リンク部材１３０により第２ビルプレス部材１２０は、第１ビルプレス部材１１９よりもさらにビルプレス駆動装置１０２側（前側）にまで突出する状態となる。
【００４５】
これにより、ビルプレス駆動装置１０２が図示せぬ駆動モータで昇降用ベルト１０５を正回転させ昇降部材１０６を下降させることによって、第１鉛直ガイド部１０９にガイドローラ１１７において案内されながら下降すると、ビルプレス１０１は、直後位置の筐体４５内に突出し、下部において略水平方向に広がる第１ビルプレス部材１１９および第２ビルプレス部材１２０で、直後位置の筐体４５内のフラッパ４６，４６より下側の収納空間４９に収納された紙幣を上側から押圧する。
【００４６】
一方、上記状態からビルプレス駆動装置１０２が図示せぬ駆動モータで昇降用ベルト１０５を逆回転させ昇降部材１０６を上昇させることによって、ガイドローラ１１７が第１鉛直ガイド部１０９から傾斜ガイド部１１０を越えて第２鉛直ガイド部１１１に至ると、ビルプレス１０１は、揺動部材１１４が回動軸１１３を中心に回動することになり、この揺動部材１１４に対し相互基本姿勢にあるビルプレス本体１１５を筐体４５（図３〜図６においては図示略）の収納空間４９から退避し鉛直方向に沿うように回動軸１１３を中心に揺動させることになる。このようにビルプレス本体１１５が昇降部材１０６の回動軸１１３を中心に揺動すると、図６に示すように、第１リンク部材１２６で連結された第１ビルプレス部材１１９がビルプレス本体１１５に沿う姿勢となりビルプレス本体１１５内に格納されることになって他部品との干渉が回避されるようになっている。同様に、ビルプレス本体１１５が昇降部材１０６の回動軸１１３を中心に揺動すると、第２リンク部材１３０の係合部１３１が長孔１２９に案内されて強制的に移動させられ、第２リンク部材１３０に連結された第２ビルプレス部材１２０がビルプレス本体１１５に沿う姿勢となりビルプレス本体１１５内に格納されることになって他部品との干渉が回避されるようになっている。
【００４７】
また、この状態からビルプレス駆動装置１０２により昇降部材１０６が下降し、ガイドローラ１１７が第２鉛直ガイド部１１１から傾斜ガイド部１１０を越えて第１鉛直ガイド部１０９に至ると、上記と同様、揺動部材１１４に対し上記相互基本姿勢にあるビルプレス本体１１５は、図３に示すように、直後位置の筐体４５内に突出することになり、第１リンク部材１２６により第１ビルプレス部材１１９はビルプレス本体１１５の下端部で略水平に沿うとともにその一部がビルプレス本体１１５よりもビルプレス駆動装置１０２側（前側）に突出する状態となり、また、長孔１２９の下端部に係合部１３１を位置させている第２リンク部材１３０により第２ビルプレス部材１２０は、第１ビルプレス部材１１９よりもさらにビルプレス駆動装置１０２側（前側）にまで突出する状態となる。
【００４８】
以上はビルプレス１０１がフラッパ４６に接触しない場合についての説明であるが、本実施形態においては、各ビルプレス１０１が、それぞれ、直後位置の筐体４５内のフラッパ４６，４６より下側の収納空間４９に突出した状態から、ビルプレス駆動装置１０２の昇降部材１０６とともに上昇する際に、直後位置の筐体４５内における前側のフラッパ４６の前端部に左右方向に軸線を配置して回転自在に設けられた係合ローラ（摩擦軽減部材）１３３に接触可能とされており、フラッパ４６の係合ローラ１３３に接触すると、昇降部材１０６の上昇によりこの係合ローラ１３３に押圧されて退避方向（図３〜図６における時計回り方向）に揺動するようになっている。なお、この係合ローラ１３３は、回転することによってビルプレス１０１の接触移動時の摩擦を軽減する。
【００４９】
フラッパ４６が下降限度位置を含む下部所定範囲まで下がった状態では、ガイドローラ１１７が第１鉛直ガイド部１０９に接触しつつ上昇している最中であっても、ビルプレス１０１は、図４に示すように、その第１リンク部材１２６においてフラッパ４６の係合ローラ１３３に接触する。そして、この状態からガイドローラ１１７が第１鉛直ガイド部１０９に接触したままの状態で昇降部材１０６とともにビルプレス１０１が上昇すると、図４に示す状態から図５に示す状態となり、昇降部材１０６に揺動可能に連結されるとともに第１ビルプレス部材１１９に連結された第１リンク部材１２６が、連結軸１２４を中心に揺動し、第１ビルプレス部材１１９をビルプレス本体１１５へ格納し他部品との干渉を回避させつつビルプレス本体１１５をフラッパ４６から逃げる方向に揺動させるようになっている。また、このとき、昇降部材１０６に揺動可能に連結されるとともに第２ビルプレス部材１２０に連結されさらにビルプレス本体１１５に形成された長孔１２９に挿通された第２リンク部材１３０が、このビルプレス本体１１５の揺動により、強制的にビルプレス本体１１５の長孔１２９で案内されながら移動することになり、その結果、連結軸１２４を中心に揺動し、第２ビルプレス部材１２０をビルプレス本体１１５へ格納し、他部品との干渉を回避させるようになっている。
【００５０】
ここで、フラッパ４６が下降限度位置に位置する状態にあるとき、ビルプレス１０１がこのフラッパ４６に接触しつつ上昇している最中に、ガイドローラ１１７がガイド板１０７の第１鉛直ガイド部１０９から傾斜ガイド部１１０に載り上げるようになっている。すなわち、フラッパ４６がいずれの高さ位置にあっても、フラッパ４６に接触したビルプレス１０１がその後フラッパ４６よりも上側に位置して筐体４６内側に戻されることなく退避するように設定されている。
【００５１】
なお、昇降部材１０６に揺動可能に連結されるビルプレス本体１１５と、昇降部材１０６に揺動可能に連結されるとともに第１ビルプレス部材１１９に連結され、昇降部材１０６の上昇時にフラッパ４６に接触しフラッパ４６に押圧されて第１ビルプレス部材１１９を揺動させつつビルプレス本体１１５を揺動させる第１リンク部材１２６と、昇降部材１０６に揺動可能に連結されるとともに第２ビルプレス部材１２０に連結され、昇降部材１０６の上昇時に揺動するビルプレス本体１１５の揺動により長孔１２９内を係合部１３１が移動することで第２ビルプレス部材１２０を揺動させる第２リンク部材１３０とが、昇降部材１０６に揺動可能に連結されるとともに昇降部材１０６の上昇時にフラッパ４６に接触しフラッパ４６に押圧されて揺動するビルプレス本体部１３５を主に構成している。
【００５２】
また、このビルプレス本体部１３５と、第１ビルプレス部材１１９および第２ビルプレス部材１２０とが、ビルプレス１０１を主に構成している。
【００５３】
機体１０内における中層ユニット２５および下層ユニット２６の後側には、搬送路２８および搬送路４２で搬送され対応する紙幣取込部５０から送り込まれる紙幣を一時貯留させる一時貯留部５１ｄ，５１ｅが上下に離間して設けられており、各一時貯留部５１ｄ，５１ｅの下側には、一時貯留部５１ｄ，５１ｅの対応するものに一時貯留された紙幣を受け入れて収納する一方、収納した紙幣を最下のものから紙幣繰出部５４により繰り出し可能な収納繰出部５２ｄ，５２ｅがそれぞれ設けられている。
【００５４】
各一時貯留部５１ｄ，５１ｅとそれぞれの真下の各収納繰出部５２ｄ，５２ｅとで一時貯留・収納繰出部５３ｄ，５３ｅを構成することになり、これら複数具体的には二つの一時貯留・収納繰出部５３ｄ，５３ｅが、上下に重ねられた状態で配置されている。すなわち、一時貯留部５１ｄと収納繰出部５２ｄとが上側の一時貯留・収納繰出部５３ｄを構成し、一時貯留部５１ｅと収納繰出部５２ｅとが下側の一時貯留・収納繰出部５３ｅを構成している。
【００５５】
これら一時貯留・収納繰出部５３ｄ，５３ｅは、幅および奥行きが等しいもので、互いに左右方向および前後方向の位置を合わせた状態で、上下に重ねられるように配置されている。結果的に、これら上下に重ね状態で配置された二つの一時貯留・収納繰出部５３ｄ，５３ｅは、これら一時貯留・収納繰出部５３ｄ，５３ｅ以外のすべての上記した一時貯留・収納繰出部４０ａ〜４０ｃよりも機体１０の後部側に配置されている。これら一時貯留・収納繰出部５３ｄ，５３ｅは、保守時には機体１０からの引き出しが可能とされている。
【００５６】
これら一時貯留・収納繰出部５３ｄ，５３ｅは、それぞれ、搬送路２８あるいは搬送路４２の対応する紙幣取入部５０から対応金種の紙幣を内部に取り込む略角筒状の筐体５５を有しており、また、筐体５５内に取り込んだ一時貯留紙幣を表裏方向を上下方向にして、上下方向に順次集積させながら載置させる高さ位置固定で開閉可能な仕切手段としての一対の扉式のフラッパ５６，５６と、筐体５５のフラッパ５６，５６よりも上側に設けられ、フラッパ５６，５６に載置された一時貯留紙幣を上側から下方に向けて押圧しフラッパ５６，５６を開作動させながら下側に落とし込むプッシャ５７と、筐体５５内のフラッパ５６，５６よりも下側において昇降可能に設けられたエレベータ５８とを有している。ここで、筐体５５内のフラッパ５６，５６より下側かつエレベータ５８より上側の部分が出金用の紙幣を収納する収納空間６１とされている。なお、これら一時貯留・収納繰出部５３ｄ，５３ｅは、紙幣取入部５０側からは紙幣の送り込みのみが可能となっており、紙幣取入部５０側への紙幣の繰り出しは不可となっている。また、収納空間６１の最下部に紙幣を搬送路４２に繰り出すための紙幣繰出部５４が設けられており、この紙幣繰出部５４は、エレベータ５８が最下位置に位置した状態で紙幣を繰り出すようになっている。
【００５７】
そして、フラッパ５６，５６によって筐体５５内の上下方向に連続する空間を上下に区画することになり、これによって、一時貯留・収納繰出部５３ｄにおいては、フラッパの５６，５６の上側の空間を紙幣を一時貯留させる一時貯留部５１ｄの貯留空間６０とするとともに、フラッパ５６，５６の下側の空間を紙幣を収納する収納繰出部５２ｄの収納空間６１とし、プッシャ５７によるこのフラッパ５６，５６の開作動を伴う紙幣の落とし込みにより一時貯留部５１ｄの貯留空間６０から収納繰出部５２ｄの収納空間６１への紙幣の受け渡しを行うようになっている。同様に、一時貯留・収納繰出部５３ｅにおいては、フラッパの５６，５６の上側の空間を紙幣を一時貯留させる一時貯留部５１ｅの貯留空間６０とするとともに、フラッパ５６，５６の下側の空間を紙幣を収納する収納繰出部５２ｅの収納空間６１とし、プッシャ５７によるこのフラッパ５６，５６の開作動を伴う紙幣の落とし込みにより一時貯留部５１ｅの貯留空間６０から収納繰出部５２ｅの収納空間６１への紙幣の受け渡しを行うようになっている。
【００５８】
フラッパ５６，５６は、それぞれ、筐体５５の前後に互いに平行をなしかつ同高さとなるよう配置される位置固定の支持軸６３，６３を有しており、これら支持軸６３，６３を中心に揺動する。そして、フラッパ５６，５６は、支持軸６３に対し反対の端部同士を近接させることにより共に筐体５５内で水平配置される閉状態となり、この状態で、上側の貯留空間６０に投入された紙幣をその上側に載置させる。ここで、フラッパ５６，５６は、閉状態になるように図示せぬバネ等で付勢されている。また、フラッパ５６，５６は、この閉状態から付勢力にこうして下方に旋回することで開状態となると、載置させていた紙幣を下側の収納空間６１に落とし込む。さらに、フラッパ５６，５６は、この開状態から上方に旋回することで閉状態に戻る。
【００５９】
ここで、上下に重ね状態で配置された二つの一時貯留・収納繰出部５３ｄ，５３ｅは、両方とも同一の大きさで構成されているが、その収納部を異なる大きさで構成するようにしてもよい。
【００６０】
また、これら二つの一時貯留・収納繰出部５３ｄ，５３ｅのそれぞれの上下方向長さは、これら一時貯留・収納繰出部５３ｄ，５３ｅ以外の上記した一時貯留・収納繰出部４０ａ〜４０ｃの上下方向長さよりも小さく設定されており、幅および奥行きは同等に設定されている。その結果、これら一時貯留・収納繰出部５３ｄ，５３ｅの収納繰出部５２ｄ，５２ｅは、それぞれ、これら以外の一時貯留・収納繰出部４０ａ〜４０ｃの収納繰出部３８ａ〜３８ｃのいずれよりも紙幣の収納容量が少なくなっている。
【００６１】
さらに、これら二つの一時貯留・収納繰出部５３ｄ，５３ｅを合わせた全体の上下方向長さは、これら以外の上記した一時貯留・収納繰出部４０ａ〜４０ｃのそれぞれの上下方向長さとほぼ同等とされており、上側の一時貯留・収納繰出部５３ｄの最上部の高さ位置は、一時貯留・収納繰出部４０ａ〜４０ｃの最上部の高さ位置に対し同等以下、具体的には同高さ位置に設定されている。
【００６２】
また、これら二つの一時貯留・収納繰出部５３ｄ，５３ｅは、これら以外のすべての一時貯留・収納繰出部４０ａ〜４０ｃとともに、左右方向の位置を合わせた状態で機体１０の前後方向に配列されている。
【００６３】
さらに、これら二つの一時貯留・収納繰出部５３ｄ，５３ｅは、これら以外のすべての一時貯留・収納繰出部４０ａ〜４０ｃよりも機体１０の後部側に配置されている。
【００６４】
加えて、これら二つの一時貯留・収納繰出部５３ｄ，５３ｅは金種別のものであり、これら二つの一時貯留・収納繰出部５３ｄ，５３ｅのうちの一つである上側の一時貯留・収納繰出部５３ｄは流通量の少ない二千券（二千円札）用とされ、他の一つである下側の一時貯留・収納繰出部５３ｅは流通量の少ない五千券（五千円札）用とされている。
【００６５】
以上に述べた紙幣入出金部１１の各処理について説明する。
【００６６】
「入金処理（入金確定前）」
オペレータにより入金させる紙幣が紙幣入金口２１にセットされ操作部１４に「入金処理」の実行入力がなされると、図示せぬ制御部は、紙幣入金口２１により、紙幣を一枚ずつ分離して繰り出させることになり、繰り出された紙幣を、搬送路２８および紙幣取入部３２の所定部分で構成される図７に太線で示す入金処理ルートで搬送させ、その途中の識別部２９の識別結果に基づいて振り分ける。すなわち、偽券を含む識別不能紙幣、重送、斜行等の搬送異常紙幣と判別された紙幣は紙幣出金口２０に送り出され、真券と判別された紙幣のうち真かつ汚損と識別された紙幣と、一時貯留・収納繰出部４０ｂ，４０ｃに収納しきれない真かつ正の紙幣とが、一時貯留・収納繰出部４０ａの一時貯留部３３ａに紙幣取入部３２から送り込まれ、その他の真かつ正と識別された紙幣は、適宜表裏反転部３０を通過させることで表裏が取り揃えられた後、一時貯留・収納繰出部４０ａ〜４０ｃの一時貯留部３３ａ〜３３ｃの対応する一つに、それぞれの紙幣取入部３２から送り込まれる。このとき、一時貯留部３３ａ〜３３ｃは、それぞれ、シャッタ３６，３６が閉状態とされており、紙幣取入部３２から送り込まれた紙幣をシャッタ３６，３６の上側の貯留空間３７に一時貯留させる。
【００６７】
具体的には、真かつ正と識別された紙幣のうち、万券は万券用の一時貯留・収納繰出部４０ｂの一時貯留部３３ｂに一時貯留され、千券は千券用の一時貯留・収納繰出部４０ｃの一時貯留部３３ｃに一時貯留される。ここで、これら以外の二千券および五千券は、混合状態で一時貯留・収納繰出部４０ａの一時貯留部３３ａに一時貯留される。さらに、一時貯留・収納繰出部４０ａの一時貯留部３３ａには、上記したように、真かつ汚損の各紙幣と、一時貯留・収納繰出部４０ｂ，４０ｃに収納しきれない真かつ正の紙幣も送り込まれる。
【００６８】
そして、紙幣入金口２１からすべての紙幣が一旦繰り出され、紙幣出金口２０および一時貯留・収納繰出部４０ａ〜４０ｃの一時貯留部３３ａ〜３３ｃのいずれかに送り込まれると、制御部は、閉状態にあった紙幣出金口２０のシャッタ２２を開作動させるとともに、識別部２９の識別結果を図示せぬ上位機に表示させる。この上位機の表示からオペレータが入金確定操作を上位機または操作部１４に入力すると、制御部は、後述の「収納処理」を行うことになる。この場合、万券は万券用の一時貯留・収納繰出部４０ｂにおいて一時貯留部３３ｂから収納繰出部３８ｂに収納され、千券は千券用の一時貯留・収納繰出部４０ｃにおいて一時貯留部３３ｃから収納繰出部３８ｃに収納されることになるが、それ以外の二千券および五千券は、一時貯留・収納繰出部５３ｄ，５３ｅが紙幣の返却処理に適していないことから、混合状態で、返却処理に適した一時貯留・収納繰出部４０ａにおいて一時貯留部３３ａから収納繰出部３８ａに一時貯留される。すなわち、二千券および五千券は、「入金処理」から「収納処理」の流れでは、それら用の収納繰出部５２ｄ，５２ｅには収納されず、後述する「内部充填分配補充処理」および「収納処理」によって収納繰出部５２ｄ，５２ｅに収納される。他方、オペレータが入金キャンセル操作を上位機または操作部１４に入力すると、制御部は、後述の「返却処理」を行うことになる。
【００６９】
「出金処理」
オペレータにより上位機または操作部１４に「出金処理」の実行入力がなされると、制御部は、金種別の一時貯留・収納繰出部４０ｂ，４０ｃ，５３ｄ，５３ｅのそれぞれの収納繰出部３８ｂ，３８ｃ，５２ｄ，５２ｅに収納させていた紙幣を紙幣繰出部３９，５４で最下のものから一枚ずつ分離して繰り出させ、搬送路４２，２８の所定部分で構成される図８に太線で示す出金処理ルートに沿って搬送させ、その途中の判別部４３の判別結果に基づいて振り分ける。
【００７０】
すなわち、判別部４３で正常と判別された紙幣は、紙幣出金口２０に送り出される一方、判別部４３で異常と判別された紙幣のうち重送および斜行と判定された搬送異常紙幣はすべてリジェクト収納部４４に送り込まれ、さらに、判別部４３で異常と判別された紙幣のうち、搬送異常以外と判定された紙幣すなわち判別不能紙幣および汚損紙幣は、運用カセットとしての一時貯留・収納繰出部４０ａの一時貯留部３３ａに一時貯留させる。
【００７１】
そして、出金用に繰り出されたすべての紙幣が、リジェクト収納部４４、紙幣出金口２０および一時貯留部３３ａに送り込まれると、一時貯留部３３ａは、シャッタ３６，３６を開作動させて、閉状態にある収納繰出部３８ａのフラッパ４６，４６上に紙幣を落とし込む。なお、フラッパ４６，４６上に載置された紙幣は、適宜のタイミングでフラッパ４６，４６から下方に落とし込まれ収納繰出部３８ａの収納空間４９に収納される。
【００７２】
以上により、出金処理時に、金種別の一時貯留・収納繰出部４０ｂ，４０ｃ，５３ｄ，５３ｅから繰り出された紙幣のうち、判別部４３で搬送異常と判別された紙幣を、紙幣を繰り出し不可に収納させるリジェクト収納部４４に収納する一方、判別部４３で判別不能と判別された紙幣を、すべて複数金種に共用の一時貯留・収納繰出部４０ａに収納することになる。そして、この複数金種に共用の一時貯留・収納繰出部４０ａにおいては、後述する「内部充填分配補充処理」で、収納した紙幣を判別部４３で判別しかつ識別部２９で識別しつつ一時貯留・収納繰出部４０ｂ，４０ｃ，５３ｄ，５３ｅのうちの対応金種のものに分配収納させ、その後の「出金処理」において、各金種の一時貯留・収納繰出部４０ｂ，４０ｃ，５３ｄ，５３ｅから出金させることになるため、出金処理時に判別不能紙幣と判別された紙幣がいずれの金種の紙幣であってもこの分配収納により一時貯留・収納繰出部４０ｂ，４０ｃ，５３ｄ，５３ｅのうち適正な金種のものに収納されて、ここから出金させられることになる。
【００７３】
そして、この「出金処理」時に、収納繰出部３８ｂ，３８ｃのそれぞれについて、収納空間４９の収納紙幣が少なくなると、ビルプレス１０１で紙幣を上側から押圧して紙幣繰出部３９による繰り出し作動を補助するようになっている。
【００７４】
すなわち、収納空間４９の収納紙幣が所定量より多い状態では、図６に示すように、ビルプレス駆動装置１０２により昇降部材１０６が上部に配置され、ガイドローラ１１７が第２鉛直ガイド部１１１に当接した状態とされて、ビルプレス本体１１５を筐体４５から退避させ鉛直方向に沿わせている。そして、収納空間４９の収納紙幣が所定量より少なくなると、図３に示すように、ビルプレス駆動装置１０２が昇降部材１０６を下降させ、ガイドローラ１１７を傾斜ガイド部１１０を越え第１鉛直ガイド部１０９に当接させる。すると、揺動部材１１４に対し上記相互基本姿勢にあるビルプレス本体１１５は、収納繰出部３８ｂ，３８ｃのうち直後位置のものの筐体４５内の収納空間４９に突出する。このとき、第１リンク部材１２６により第１ビルプレス部材１１９はビルプレス本体１１５の下端部で略水平に沿う状態となり、その一部がビルプレス本体１１５よりもビルプレス駆動装置１０２側（前側）に突出する。また、このとき、長孔１２９の下端部に係合部１３１を位置させている第２リンク部材１３０により第２ビルプレス部材１２０は、第１ビルプレス部材１１９よりもさらにビルプレス駆動装置１０２側（前側）にまで突出する状態となる。
【００７５】
この状態で、収納紙幣の収納量に応じた位置まで昇降部材１０６を下降させることで、ビルプレス１０１は、略水平方向に広がる第１ビルプレス部材１１９および第２ビルプレス部材１２０で、直後位置の筐体４５内のフラッパ４６，４６より下側の収納空間４９に収納された紙幣を上側から押圧する。これにより、紙幣繰出部３９による紙幣の繰り出しが良好に行われることになる。
【００７６】
なお、「出金処理」の完了後、例えば次の処理を行う前に、ビルプレス駆動装置１０２により昇降部材１０６を上昇させると、ガイドローラ１１７が第１鉛直ガイド部１０９から傾斜ガイド部１１０を越えて第２鉛直ガイド部１１１に至って、揺動部材１１４が回動軸１１３を中心に回動することになり、この揺動部材１１４に対し相互基本姿勢にあるビルプレス本体１１５を筐体４５から退避し鉛直方向に沿うように回動軸１１３を中心に揺動させることになる。このビルプレス本体１１５の揺動に連動して、上述したように第１リンク部材１２６に連結された第１ビルプレス部材１１９がビルプレス本体１１５に沿う姿勢となり、第２リンク部材１３０に連結された第２ビルプレス部材１２０がビルプレス本体１１５に沿う姿勢となって、ともにビルプレス本体１１５に格納されて他部品との干渉が回避されるようになっている。このとき、フラッパ４６は上部に位置するためビルプレス１０１はこれに接触せず、ビルプレス１０１は、第１鉛直ガイド部１０９、傾斜ガイド部１１０および第２鉛直ガイド部１１１の形状のみによって揺動する。
【００７７】
「入金口分配補充処理」
金種別の一時貯留・収納繰出部４０ｂ，４０ｃ，５３ｄ，５３ｅの収納繰出部３８ｂ，３８ｃ，５２ｄ，５２ｅに紙幣を紙幣入金口２１から補充する場合、オペレータにより補充紙幣が紙幣入金口２１にセットされ操作部１４に「入金口分配補充処理」の実行入力がなされると、図示せぬ制御部は、紙幣入金口２１により、紙幣を一枚ずつ分離して繰り出させることになり、繰り出された紙幣を、搬送路２８，４２および紙幣取入部３２，５０の所定部分で構成される図９に太線で示す入金口分配補充処理ルートで搬送させ、その途中の識別部２９の識別結果に基づいて振り分ける。
【００７８】
すなわち、識別部２９において偽券を含む識別不能紙幣、重送、斜行等の搬送異常紙幣と判別された紙幣は、紙幣出金口２０に送り出され、真かつ汚損と識別された紙幣は、一時貯留・収納繰出部４０ａの一時貯留部３３ａに紙幣取入部３２から送り込まれる。このとき、一時貯留部３３ａは、シャッタ３６，３６が閉状態とされており、紙幣取入部３２から送り込まれた紙幣をシャッタ３６，３６の上側の貯留空間３７に一時貯留させることになる。そして、それ以外の真かつ正と識別された紙幣は、適宜表裏反転部３０を通過させることで表裏が取り揃えられた後、金種別の一時貯留部３３ｂ，３３ｃ，５１ｄ，５１ｅの対応する一つに、それぞれの紙幣取入部３２，５０から送り込まれる。このとき、一時貯留部３３ｂ，３３ｃは、それぞれ、シャッタ３６，３６が閉状態とされており、紙幣取入部３２から取り入れた紙幣をシャッタ３６，３６の上側の貯留空間３７に一時貯留させることになり、一時貯留部５１ｄ，５１ｅは、それぞれ、フラッパ５６，５６が閉状態とされており、紙幣取入部５０から取り入れた紙幣をフラッパ５６，５６の上側の貯留空間６０に一時貯留させることになる。
【００７９】
具体的には、万券は万券用の一時貯留・収納繰出部４０ｂの一時貯留部３３ｂに一時貯留され、千券は千券用の一時貯留・収納繰出部４０ｃの一時貯留部３３ｃに一時貯留され、二千券は一時貯留・収納繰出部５３ｄの一時貯留部５１ｄに一時貯留され、五千券は一時貯留・収納繰出部５３ｅの一時貯留部５１ｅに一時貯留される。また、一時貯留・収納繰出部４０ａの一時貯留部３３ａには、真かつ汚損の各紙幣が送り込まれる。
【００８０】
そして、紙幣入金口２１からすべての紙幣が一旦繰り出され、紙幣出金口２０および一時貯留部３３ａ〜３３ｃ，５１ｄ，５１ｅのいずれかに送り出されると、制御部は、閉状態にあった紙幣出金口２０のシャッタ２２を開作動させるとともに、補充処理が完了した旨を識別部２９の識別結果とともに図示せぬ上位機に表示させる。この上位機の表示からオペレータが補充完了確認操作を上位機または操作部１４に入力すると、制御部は、後述の「収納処理」を行うことになる。
【００８１】
「内部充填分配補充処理」
「入金処理」により一時貯留・収納繰出部４０ａの収納繰出部３８ａに収納された紙幣（主として二千券および五千券）を、金種別の一時貯留・収納繰出部４０ｂ，４０ｃ，５３ｄ，５３ｅに紙幣を補充する場合には、操作部１４に「内部充填分配補充処理」の実行入力がなされると、図示せぬ制御部は、収納繰出部３８ａから、最下の紙幣を一枚ずつ分離して繰り出させることになり、繰り出された紙幣を、搬送路２８，４２および紙幣取入部３２の所定部分で構成される図１０に太線で示す内部充填分配補充処理ルートで搬送させ、その途中の判別部４３の判別結果および識別部２９の鑑別結果に基づいて振り分ける。
【００８２】
すなわち、判別部４３で重送あるいは斜行の搬送異常とされた紙幣は、入金処理時に偽券でないことがすでに確認されているため、リジェクト収納部４４に送り込まれ、判別不能および汚損と判別された紙幣は、一時貯留・収納繰出部４０ａの一時貯留部３３ａに紙幣取入部３２から送り込まれる。このとき、一時貯留部３３ａは、シャッタ３６，３６が閉状態とされており、紙幣取入部３２から送り込まれた紙幣をシャッタ３６，３６の上側の貯留空間３７に一時貯留させることになる。そして、それ以外の紙幣は適宜表裏反転部３０を通過させることで表裏が取り揃えられた後、金種別の一時貯留部３３ｂ，３３ｃ，５１ｄ，５１ｅの対応する一つに、それぞれの紙幣取入部３２，５０から送り込まれる。このとき、一時貯留部３３ｂ，３３ｃは、それぞれ、シャッタ３６，３６が閉状態とされており、紙幣取入部３２から取り入れた紙幣をシャッタ３６，３６の上側の貯留空間３７に一時貯留させることになり、一時貯留部５１ｄ，５１ｅは、それぞれ、フラッパ５６，５６が閉状態とされており、紙幣取入部５０から取り入れた紙幣をフラッパ５６，５６の上側の貯留空間６０に一時貯留させることになる。
【００８３】
具体的には、万券は万券用の一時貯留・収納繰出部４０ｂの一時貯留部３３ｂに一時貯留され、千券は千券用の一時貯留・収納繰出部４０ｃの一時貯留部３３ｃに一時貯留され、二千券は一時貯留・収納繰出部５３ｄの一時貯留部５１ｄに一時貯留され、五千券は一時貯留・収納繰出部５３ｅの一時貯留部５１ｅに一時貯留される。また、一時貯留・収納繰出部４０ａの一時貯留部３３ａには、入金処理によって真かつ汚損の各紙幣が収納されるため、このような紙幣は、再び、一時貯留・収納繰出部４０ａの一時貯留部３３ａに送り込まれる。なお、入金時の二千券および五千券は返却処理に対応するために一旦混合状態で一時貯留・収納繰出部４０ａに収納されることになり、その後、このような「内部充填分配補充処理」で出金用に各一時貯留・収納繰出部５３ｄ，５３ｅにそれぞれ分配されるのである。
【００８４】
このようにして、順次、収納繰出部３８ａに収納されている紙幣が、一時貯留部３３ｂ，３３ｃ，５１ｄ，５１ｅに送り込まれ、そのうちのいずれか一つが満杯となると、制御部は、一旦、収納繰出部３８ａからの紙幣の繰り出しを停止し、一時貯留部３３ｂ，３３ｃについてはシャッタ３６，３６を開作動させ、それ自身またはそれに載置された紙幣をシャッタ３６，３６に近接させて閉状態で待機している収納繰出部３８ｂ，３８ｃのフラッパ４６，４６に紙幣を受け渡し、フラッパ４６，４６をその上に載置された紙幣がシャッタ３６，３６に干渉しない位置まで下降させて、シャッタ３６，３６を閉作動させ一時貯留部３３ｂ，３３ｃを空にする。一方、一時貯留部５１ｄ，５１ｅについては、エレベータ５８をすでに収納している紙幣がフラッパ５６，５６に干渉しない位置まで上昇させた状態とし、この状態でプッシャ５７で押し込むことによりフラッパ５６，５６を開作動させつつ紙幣をエレベータ５８上に受け渡し、その後、エレベータ５８を紙幣がフラッパ５６，５６に干渉しない位置まで下降させ、プッシャ５７を上昇させることにより、フラッパ５６，５６を閉作動させる。なお、以上の動作を一時貯留部３３ｂ，３３ｃ，５１ｄ，５１ｅのうち満杯になった一つについてのみ行うようにしてもよいが、収納繰出部３８ａからの繰り出し中断の回数を減らすために、上記のように満杯になっていないものも含めてすべてについて行うようにする。
【００８５】
そして、一時貯留部３３ｂ，３３ｃのシャッタ３６，３６の閉作動および一時貯留部５１ｄ，５１ｅのフラッパ５６，５６の閉作動が完了すると、制御部は、再び収納繰出部３８ａの収納空間４９から紙幣繰出部３９により紙幣を繰り出させ、紙幣の分配補充を再開する。
【００８６】
以上を繰り返して、収納繰出部３８ａの収納空間４９からすべての紙幣が一旦繰り出され、リジェクト収納部４４および一時貯留・収納繰出部４０ａ〜４０ｃ，５３ｄ，５３ｅの一時貯留部３３ａ〜３３ｃ，５１ｄ，５１ｅのいずれかに送り出されると、制御部は、補充処理が完了した旨を識別部２９の識別結果とともに図示せぬ上位機に表示させる。この上位機の表示からオペレータが補充完了確認操作を上位機または操作部１４に入力すると、制御部は、後述の「収納処理」を行うことになる。
【００８７】
この「内部充填分配補充処理」時においても、収納繰出部３８ａの収納空間４９の収納紙幣が所定量より少なくなると、ビルプレス１０１で紙幣を上側から押圧して紙幣繰出部３９による繰り出し作動を補助するようになっている。
【００８８】
すなわち、収納空間４９の収納紙幣が所定量より多い状態では、図６に示すように、ビルプレス駆動装置１０２により昇降部材１０６が上部に配置され、ガイドローラ１１７が第２鉛直ガイド部１１１に当接した状態とされて、ビルプレス本体１１５を筐体４５から退避させ鉛直方向に沿わせている。そして、収納空間４９の収納紙幣が所定量より少なくなると、ビルプレス駆動装置１０２が昇降部材１０６を下降させ、ガイドローラ１１７を傾斜ガイド部１１０を越え第１鉛直ガイド部１０９に当接させる。すると、図３に示すように、揺動部材１１４に対し上記相互基本姿勢にあるビルプレス本体１１５は、直後位置の筐体４５内の収納空間４９に突出する。このとき、第１リンク部材１２６により第１ビルプレス部材１１９はビルプレス本体１１５の下端部で略水平に沿う状態となり、その一部がビルプレス本体１１５よりもビルプレス駆動装置１０２側（前側）に突出する。また、このとき、長孔１２９の下端部に係合部１３１を位置させている第２リンク部材１３０により第２ビルプレス部材１２０は、第１ビルプレス部材１１９よりもさらにビルプレス駆動装置１０２側（前側）にまで突出する状態となる。
【００８９】
この状態で、収納紙幣の収納量に応じた位置まで昇降部材１０６を下降させることで、ビルプレス１０１は、略水平方向に広がる第１ビルプレス部材１１９および第２ビルプレス部材１２０で、直後位置の収納繰出部３８ａの筐体４５内のフラッパ４６，４６より下側の収納空間４９に収納された紙幣を上側から押圧する。これにより、収納繰出部３８ａは、紙幣繰出部３９による紙幣の繰り出しが良好に行われることになる。
【００９０】
なお、「内部充填分配補充処理」の完了後、例えば次の処理を行う前に、ビルプレス駆動装置１０２により昇降部材１０６を上昇させると、ビルプレス１０１は、ガイドローラ１１７が第１鉛直ガイド部１０９から傾斜ガイド部１１０を越えて第２鉛直ガイド部１１１に至って、揺動部材１１４が回動軸１１３を中心に回動することになり、この揺動部材１１４に対し相互基本姿勢にあるビルプレス本体１１５を筐体４５から退避し鉛直方向に沿うように回動軸１１３を中心に揺動させることになる。このビルプレス本体１１５の揺動に連動して、上述したように第１リンク部材１２６に連結された第１ビルプレス部材１１９がビルプレス本体１１５に沿う姿勢となり、第２リンク部材１３０に連結された第２ビルプレス部材１２０がビルプレス本体１１５に沿う姿勢となって、ともにビルプレス本体１１５に格納され他部品との干渉が回避されるようになっている。
【００９１】
「外部充填分配補充処理」
なお、上記は、「入金処理」を経て収納繰出部３８ａに収納された紙幣を分配補充する「内部充填分配補充処理」を例にとり説明したが、機体１０外において補充紙幣を収納繰出部３８ａに充填しこれを機体１０に装填して同様の分配補充処理を行う「外部充填分配補充処理」の場合は、基本的には上記した「内部充填分配補充処理」と同様の図１１に太線で示す外部充填分配補充処理ルートで処理を行うことになるが、収納繰出部３８ａから送り出される紙幣には、偽券が含まれる可能性もあるので、判別部４３あるいは識別部２９で、偽券を含む判別不能紙幣とされた紙幣および重送、斜行等の搬送異常紙幣とされた紙幣は、すべて紙幣出金口２０に送り出すことになる。
【００９２】
そして、収納繰出部３８ａの収納空間４９からすべての紙幣が一旦繰り出され、紙幣出金口２０および一時貯留部３３ａ〜３３ｃ，５１ｄ，５１ｅのいずれかに送り出されると、制御部は、閉状態にあった紙幣出金口２０のシャッタ２２を開作動させるとともに、補充処理が完了した旨を識別部２９の識別結果とともに図示せぬ上位機に表示させる。この上位機の表示からオペレータが補充完了確認操作を上位機または操作部１４に入力すると、制御部は、後述の「収納処理」を行うことになる。
【００９３】
「収納処理」
一時貯留・収納繰出部４０ａ〜４０ｃ，５３ｄ，５３ｅにおいて、一時貯留部３３ａ〜３３ｃ，５１ｄ，５１ｅに一時貯留させた紙幣等を収納繰出部３８ａ〜３８ｃ，５２ｄ，５２ｅの収納空間４９，６１に収納させる。
【００９４】
すなわち、上記した「入金処理」で入金確定操作が入力された場合、または、「入金口分配補充処理」、「内部充填分配補充処理」および「外部充填分配補充処理」で補充完了確認操作が入力された場合、制御部は、一時貯留部３３ａ〜３３ｃ，５１ｄ，５１ｅの紙幣を収納繰出部３８ａ〜３８ｃ，５２ｄ，５２ｅに、図１２に太線で示す収納処理ルートのように、一時貯留部３３ａ〜３３ｃのそれぞれのシャッタ３６，３６を開作動させ、シャッタ３６，３６にそれ自身またはそれに載置されている紙幣の上部を近接させて待機している収納繰出部３８ａ〜３８ｃの閉状態のフラッパ４６，４６に紙幣を受け渡す。続いて、制御部は、フラッパ４６，４６をその上に載置された紙幣がシャッタ３６，３６に干渉しない位置まで下降させて、シャッタ３６，３６を閉作動させる。さらに、フラッパ４６，４６を既に収納空間４９に収納されている紙幣量に干渉しない範囲で下げて開作動させ、フラッパ４６，４６からすでに収納空間４９に収納されている紙幣の上に紙幣を受け渡す。その後、フラッパ４６，４６を上部待機位置まで上昇させて、閉作動させる。
【００９５】
また、制御部は、これと同時に、収納繰出部５２ｄ，５２ｅのそれぞれについて、既に収納空間６１に収納されている紙幣量に応じた高さまでエレベータ５８を上昇させた後、一時貯留部５１ｄ，５１ｅのそれぞれのプッシャ５７を下降させ、フラッパ５６，５６上の紙幣を下方に押圧しフラッパ５６，５６を開作動させながら、紙幣を収納空間６１に既に収納されているエレベータ５８上の紙幣の上に受け渡す。その後、エレベータ５８を最下位置まで下げる。
【００９６】
「整理計数処理」
複数金種混在した紙幣から指定した金種を計数しつつ分離する場合等の処理で、オペレータにより紙幣が紙幣入金口２１にセットされ操作部１４に「整理計数処理」の実行入力がなされると、図示せぬ制御部は、紙幣入金口２１により、紙幣を一枚ずつ分離して繰り出させることになり、繰り出された紙幣を、搬送路２８および紙幣取入部３２の所定部分で構成される図１３に太線で示す整理計数処理ルートで搬送させ、その途中の識別部２９の識別結果に基づいて振り分ける。
【００９７】
すなわち、偽券を含む識別不能紙幣および重送、斜行等の搬送異常紙幣と、真かつ汚損と識別された紙幣と、真かつ正で指定されていない金種の紙幣と、真かつ正で指定された金種であって一時貯留部３３ａ〜３３ｃの対応するものに貯留しきれない分の紙幣とが紙幣出金口２０に送り出され、真かつ正の紙幣のうち、指定された金種のものが、適宜表裏反転部３０を通過することで表裏が取り揃えられた後、金種別に、一時貯留部３３ａ〜３３ｃの対応するものに、それぞれの紙幣取入部３２から送り込まれる。このとき、一時貯留部３３ａ〜３３ｃは、それぞれ、シャッタ３６，３６が閉状態とされており、紙幣取入部３２から送り込まれた紙幣をシャッタ３６，３６の上側の貯留空間３７に一時貯留させる。
【００９８】
具体的には、例えば、千券、二千券および五千券を整理計数する場合には、真かつ正と識別された紙幣のうち、指定されていない万券は、紙幣出金口２０に送り出され、二千券は一時貯留・収納繰出部４０ａの一時貯留部３３ａに貯留され、千券は一時貯留・収納繰出部４０ｂの一時貯留部３３ｂに貯留され、五千券は一時貯留・収納繰出部４０ｃの一時貯留部３３ｃに一時貯留される。
【００９９】
そして、紙幣入金口２１からすべての紙幣が一旦繰り出され、紙幣出金口２０および一時貯留部３３ａ〜３３ｃのいずれかに送り込まれると、制御部は、閉状態にあった紙幣出金口２０のシャッタ２２を開作動させるとともに、整理計数処理が完了した旨を識別部２９の識別結果とともに図示せぬ上位機に表示させる。この表示からオペレータが整理計数完了確認操作を上位機または操作部１４に入力すると、制御部は、後述の「返却処理」を行うことになる。
【０１００】
「返却処理」
上記入金処理の結果の上位機の表示に基づいてオペレータが入金キャンセル操作を上位機または操作部１４に入力した場合、および、上記「整理計数処理」が完了した旨の上位機の表示からオペレータが整理計数完了確認操作を上位機または操作部１４に入力した場合、制御部は、中層ユニット２５の機体１０からの引き出しを可能とする。これにより、オペレータは、図１４に示すよう中層ユニット２５を引き出して一時貯留部３３ａ〜３３ｃから紙幣を取り出すことになる。
【０１０１】
「精査処理」
（１）一時貯留・収納繰出部４０ｂの収納繰出部３８ｂの精査処理
収納繰出部３８ｂにおける収納空間４９の紙幣枚数、具体的には収納空間４９の万券の枚数を確定する精査処理を行う場合は、オペレータにより上位機または操作部１４に収納繰出部３８ｂを精査処理する際の入力がなされると、一時貯留部３３ｂおよび収納繰出部３８ｂのフラッパ４６，４６より上側が空の状態で、制御部は、収納繰出部３８ｂのフラッパ４６，４６よりも下側の収納空間４９に収納させていた紙幣を紙幣繰出部３９によって最下のものから一枚ずつ分離して繰り出させ、搬送路４２，２８の所定部分で構成される図１５に太線で示す第１精査処理ルートに沿って搬送させ、その途中の判別部４３および識別部２９の識別結果に基づいて振り分けおよび計数を行う。
【０１０２】
すなわち、判別部４３で異常と判別された紙幣のうち重送あるいは斜行と判定された搬送異常紙幣はリジェクト収納部４４に送り込まれ、判別部４３で異常と判別された紙幣のうち搬送異常以外の紙幣および判別部４３で正常と判別された紙幣は、識別部２９で金種が識別され、必要により表裏反転部３０で表裏が取り揃えられて、識別部２９で精査対象金種と判定された正常紙幣は、一時貯留・収納繰出部４０ｂの一時貯留部３３ｂに送り込まれ、識別部２９で精査対象金種以外と判定された異金種紙幣は、一時貯留・収納繰出部４０ａの一時貯留部３３ａに送り込まれる。
【０１０３】
このようにして、順次、収納繰出部３８ｂに収納されている紙幣が、識別部２９で識別計数され、一時貯留部３３ｂに送り込まれ、一時貯留部３３ｂが満杯となると、制御部は、一旦、収納繰出部３８ｂの収納空間４９からの紙幣の繰り出しを停止し、一時貯留部３３ｂのシャッタ３６，３６を開作動させ、シャッタ３６，３６にそれ自身またはそれに載置された紙幣の上部を近接させていた閉状態のフラッパ４６，４６に紙幣を受け渡し、フラッパ４６，４６をその上に載置された紙幣がシャッタ３６，３６に干渉しない位置まで下降させて、シャッタ３６，３６を閉作動させて一時貯留部３３ｂを空にする。ただし、この時点では、収納繰出部３８ｂの収納空間４９に収納されている紙幣とは分離しておく必要があるため、フラッパ４６，４６上の紙幣を下方の収納空間４９に落とし込むことはない。
【０１０４】
そして、一時貯留部３３ｂのフラッパ４６，４６へ紙幣を受け渡しシャッタ３６，３６の閉作動が完了すると、制御部は、再び収納繰出部３８ｂの収納空間４９から紙幣繰出部３９により紙幣を繰り出させ、上記と同様にして、判別部４３による判別、識別部２９による識別計数を行う。
【０１０５】
以上を繰り返して、収納繰出部３８ｂの収納空間４９のすべての収納紙幣を繰り出させ、リジェクト収納部４４、一時貯留・収納繰出部４０ｂのフラッパ４６，４６より上側および一時貯留部３３ａのいずれかに送り込む。
【０１０６】
この精査処理の途中で、収納繰出部３８ｂの収納空間４９の収納紙幣が所定量より少なくなると、ビルプレス１０１を収納繰出部３８ｂの収納空間４９に突出させる突出作動を行い、このビルプレス１０１で紙幣を上側から押圧して紙幣繰出部３９による繰り出し作動を補助するようになっている。
【０１０７】
すなわち、収納空間４９の収納紙幣が所定量より多い状態では、図６に示すように、ビルプレス駆動装置１０２により昇降部材１０６が上部に配置され、ガイドローラ１１７が第２鉛直ガイド部１１１に当接した状態とされて、ビルプレス本体１１５を筐体４５から退避させ鉛直方向に沿わせている。そして、収納空間４９の収納紙幣が所定量より少なくなると、ビルプレス駆動装置１０２が昇降部材１０６を下降させ、ガイドローラ１１７を傾斜ガイド部１１０を越え第１鉛直ガイド部１０９に当接させる。すると、図３に示すように、揺動部材１１４に対し上記相互基本姿勢にあるビルプレス本体１１５は、直後位置の筐体４５内の収納空間４９に突出する。このとき、第１リンク部材１２６により第１ビルプレス部材１１９はビルプレス本体１１５の下端部で略水平に沿う状態となり、その一部がビルプレス本体１１５よりもビルプレス駆動装置１０２側（前側）に突出する。また、このとき、長孔１２９の下端部に係合部１３１を位置させている第２リンク部材１３０により第２ビルプレス部材１２０は、第１ビルプレス部材１１９よりもさらにビルプレス駆動装置１０２側（前側）にまで突出する状態となる。
【０１０８】
この状態で、収納紙幣の収納量に応じた位置まで昇降部材１０６を下降させることで、ビルプレス１０１は、略水平方向に広がる第１ビルプレス部材１１９および第２ビルプレス部材１２０で、直後位置の収納繰出部３８ａの筐体４５内のフラッパ４６，４６より下側の収納空間４９に収納された紙幣を上側から押圧する。これにより、収納繰出部３８ａは、紙幣繰出部３９による紙幣の繰り出しが良好に行われることになる。
【０１０９】
なお、フラッパ４６，４６は、収納繰出部３８ａの収納空間４９から繰り出され戻ってきた紙幣を載置させることになるため、載置させる紙幣量の増加にともなって下降することになるが、その間、図示せぬセンサによってフラッパ４６，４６より下側の紙幣の状態を監視している。そして、フラッパ４６，４６が開作動するための空間を下側に確保可能であり、かつビルプレス１０１の後述する退避作動が可能な空間を下側に確保可能な限界位置まで仮に下がった場合に、一旦精査処理が停止させられるようになっている。しかしながら、一時貯留・収納繰出部４０ｂからの紙幣の繰り出しと、一時貯留・収納繰出部４０ｂへの紙幣の取り込みの総合的な制御等から、このような一旦停止が発生しないように設定されている。例えば、精査処理前に一時貯留・収納繰出部４０ｂの収納繰出部３８ａに紙幣が仮に満杯に収納されている状態にあっても、一時貯留・収納繰出部４０ｂの収納繰出部３８ａから繰り出す紙幣がなくなるころに、フラッパ４６，４６が、開作動するための空間を下側に確保可能であり、かつビルプレス１０１の後述する退避作動が可能な空間を下側に確保可能な限界位置に下がるように設定されている。
【０１１０】
収納繰出部３８ｂのフラッパ４６，４６より下側の収納空間４９のすべての収納紙幣が繰り出され、リジェクト収納部４４、一時貯留・収納繰出部４０ｂのフラッパ４６，４６より上側および一時貯留部３３ａのいずれかに送り込まれて、収納繰出部３８ｂのフラッパ４６，４６より下側の収納空間４９が空になると、制御部は、まず、必要なくなったビルプレス１０１を収納繰出部３８ｂの収納空間４９から退避させる退避作動を行う。すなわち、ビルプレス駆動装置１０２により昇降部材１０６を上昇させる。このとき、フラッパ４６，４６が上側に大量に紙幣を載置させ、下降限度位置を含む下部所定範囲まで下がっていると、ガイドローラ１１７が第１鉛直ガイド部１０９に接触しつつ上昇している最中であっても、図４に示すように、ビルプレス１０１は、その第１リンク部材１２６においてフラッパ４６の係合ローラ１３３に接触する。そして、この状態からガイドローラ１１７が第１鉛直ガイド部１０９に接触した状態で昇降部材１０６とともにビルプレス１０１が上昇すると、上述したように第１リンク部材１２６が、係合ローラ１３３で押圧されて、図５に示すように、連結軸１２４を中心に揺動し、第１ビルプレス部材１１９をビルプレス本体１１５への格納方向に揺動させつつビルプレス本体１１５を含むビルプレス本体部１３５の全体をフラッパ４６から逃げる方向に揺動させると同時に、第２リンク部材１３０が長孔１２９で案内されて連結軸１２４を中心に揺動し、第２ビルプレス部材１２０をビルプレス本体１１５への格納方向に揺動させ、これら第１ビルプレス部材１１９および第２ビルプレス部材１２０をビルプレス本体１１５に格納して他部品との干渉を回避させるようになっている。
【０１１１】
そして、ビルプレス１０１がこのフラッパ４６に接触しつつ上昇している最中に、図６に示すように、ガイドローラ１１７がガイド板１０７の第１鉛直ガイド部１０９から傾斜ガイド部１１０を越えて、第２鉛直ガイド部１１１に載り上げ、揺動部材１１４を揺動させ、その結果、この揺動部材１１４に対しビルプレス本体１１５を相互基本姿勢とし筐体４５から退避させ鉛直方向に沿う状態とする。
【０１１２】
次に、一時貯留部３３ａ，３３ｂのシャッタ３６，３６を開作動させ、紙幣をフラッパ４６，４６上に受け渡し、続いて、可能であればフラッパ４６，４６をその上に載置された紙幣がシャッタ３６，３６に干渉しない位置まで下降させ、シャッタ３６，３６を閉作動させる。さらに、一時貯留・収納繰出部４０ｂについては、フラッパ４６，４６が下降限度位置より上側にあれば、これを下降限度位置まで下降させる。そして、フラッパ４６，４６を開作動させて、空の状態の収納空間４９に紙幣を受け渡し、その後、フラッパ４６，４６をシャッタ３６，３６に近接する上部待機位置まで上昇させて、閉作動させる。一時貯留・収納繰出部４０ａについては、フラッパ４６，４６を既に収納空間４９に収納されている紙幣量に応じた高さまで下げて開作動させて、フラッパ４６，４６からすでに収納空間４９に収納されている紙幣の上に紙幣を受け渡し、その後、フラッパ４６，４６をシャッタ３６，３６に近接する上部待機位置まで上昇させて、閉作動させる。
【０１１３】
このようにすることで、一時貯留・収納繰出部４０ｂの収納繰出部３８ｂの収納空間４９の紙幣は、すべて精査対象金種の正常紙幣となりその枚数が確定できる。
【０１１４】
以上により、一時貯留・収納繰出部４０ｂは、精査処理時にその収納繰出部３８ｂの収納空間４９から一旦すべての紙幣を繰り出してこの収納空間４９を空にする際に、繰り出し紙幣のうち正常紙幣を、当該一時貯留・収納繰出部４０ｂ自身の一時貯留部３３ｂに送り込む還流精査型一時貯留・収納繰出部となっている。そして、このような還流精査型一時貯留・収納繰出部である一時貯留・収納繰出部４０ｂは、その収納空間４９から一旦すべての紙幣を繰り出す際に当該一時貯留・収納繰出部４０ｂ自身の一時貯留部３３ｂに送り込んだ紙幣を、収納空間４９から一旦すべての紙幣を繰り出した後に、当該収納空間４９に収納することになる。
【０１１５】
（２）一時貯留・収納繰出部４０ｃの収納繰出部３８ｃの精査処理
収納繰出部３８ｃにおける収納空間４９の紙幣枚数、具体的には収納空間４９の千券の枚数を確定する精査処理を行う場合は、上記収納繰出部３８ｂの精査処理に対し、一時貯留部３３ｂおよび収納繰出部３８ｂを一時貯留部３３ｃおよび収納繰出部３８ｃに置き換えたものとなる。すなわち、収納繰出部３８ｃの収納空間４９の紙幣を搬送路４２，２８の所定部分で構成される図１６に太線で示す第２精査処理ルートに沿って搬送させ、収納繰出部３８ｃの収納空間４９を一旦空にした後、枚数の確定した紙幣を収納繰出部３８ｃの収納空間４９に収納させるのである。
【０１１６】
この、一時貯留・収納繰出部４０ｃも、一時貯留・収納繰出部４０ｂと同様に、還流精査型一時貯留・収納繰出部となっている。
【０１１７】
（３）収納繰出部５２ｄの精査処理
収納繰出部５２ｄにおける収納空間６１の紙幣枚数、具体的には収納空間６１の二千券の枚数を確定する精査処理を行う場合は、オペレータにより上位機または操作部１４に収納繰出部５２ｄを精査処理する際の入力がなされると、制御部は、一時貯留部５１ｄが空の状態で、収納繰出部５２ｄのフラッパ５６，５６よりも下側の収納空間６１に収納させていた紙幣を紙幣繰出部５４によって最下のものから一枚ずつ分離して繰り出させ、搬送路４２，２８の所定部分で構成される図１７に太線で示す第３精査処理ルートに沿って搬送させ、その途中の判別部４３の判別結果に基づいて振り分けを行う。
【０１１８】
すなわち、判別部４３で重送または斜行と判定された搬送異常紙幣はリジェクト収納部４４に送り込まれ、判別部４３で正常と判別された正常紙幣は、必要により表裏反転部３０で表裏が取り揃えられて、一時貯留・収納繰出部４０ａの一時貯留部３３ａに送り込まれる。さらに、判別部４３で判別不能と判別された紙幣も、一時貯留・収納繰出部４０ａの一時貯留部３３ａに送り込まれる。
【０１１９】
このようにして、順次、収納繰出部５２ｄに収納されている紙幣が、一時貯留部３３ａに送り込まれ、一時貯留部３３ａが満杯となると、制御部は、一旦、収納繰出部５２ｄからの紙幣の繰り出しを停止し、一時貯留部３３ａのシャッタ３６，３６を開作動させ、シャッタ３６，３６にそれ自身またはそれに載置された紙幣の最上部を近接させた閉状態のフラッパ４６，４６に紙幣を受け渡し、フラッパ４６，４６をその上に載置された紙幣がシャッタ３６，３６に干渉しない位置まで下降させて、シャッタ３６，３６を閉作動させて、一時貯留部３３ａを空にする。
【０１２０】
そして、一時貯留部３３ａのフラッパ４６，４６へ紙幣を受け渡しシャッタ３６，３６の閉作動が完了すると、制御部は、再び収納繰出部５２ｄの収納空間６１から紙幣繰出部５４により紙幣を繰り出させ、上記と同様にして、判別部４３による判別を行いつつ、一時貯留部３３ａに送り込む。
【０１２１】
以上を繰り返して、収納繰出部５２ｄの収納空間６１のすべての収納紙幣が繰り出されて、リジェクト収納部４４、一時貯留・収納繰出部４０ａの一時貯留部３３ａのいずれかに送り込まれ、収納繰出部５２ｄの収納空間６１が空になると、制御部は、一時貯留部３３ａのシャッタ３６，３６を開作動させ、収納繰出部３８ａのフラッパ４６，４６上に紙幣を受け渡し、フラッパ４６，４６をその上に載置された紙幣がシャッタ３６，３６に干渉しない位置まで下降させて、シャッタ３６，３６を閉作動させて一時貯留部３３ａを空にし、さらに、フラッパ４６，４６を収納繰出部３８ａの収納空間４９にすでに収納されている紙幣に干渉しない範囲で下降させて、開作動させて、フラッパ４６，４６上の紙幣を収納空間４９に収納させた後、フラッパ４６，４６を上部待機位置まで移動させ閉作動させる。
【０１２２】
その後、上記した「内部充填分配補充処理」および「収納処理」を実行することで、一時貯留・収納繰出部４０ａの収納繰出部３８ａに収納された紙幣を繰り出し、識別部２９で識別計数しつつ、その中から一時貯留・収納繰出部５３ｄの収納繰出部５２ｄに収納させる紙幣すなわち二千券のみを、一時貯留・収納繰出部５３ｄの収納繰出部５２ｄに、一時貯留部５１ｄを介して送り込むことで、精査対象金種の紙幣が確定した枚数で収納繰出部５２ｄの収納空間６１に収納されることになる。
【０１２３】
以上により、一時貯留・収納繰出部５３ｄは、精査処理時において、その収納繰出部５２ｄの収納空間６１から一旦すべての紙幣を繰り出して当該収納空間６１を空にする際に、繰り出した紙幣のうち、主たる紙幣である正常紙幣を、当該一時貯留・収納繰出部５３ｄ以外の被使用一時貯留・収納繰出部４０ａの一時貯留部３３ａに送り込む他使用精査型一時貯留・収納繰出部となっている。そして、このような他使用精査型一時貯留・収納繰出部である一時貯留・収納繰出部５３ｄは、その収納空間６１から一旦すべての紙幣を繰り出した後、当該収納空間６１に被使用一時貯留・収納繰出部である一時貯留・収納繰出部４０ａから送り込まれた紙幣を収納するようになっている。
【０１２４】
（４）収納繰出部５２ｅの精査処理
収納繰出部５２ｅにおける収納空間６１の紙幣枚数、具体的には収納空間６１の五千券の枚数を確定する精査処理を行う場合は、上記収納繰出部５３ｄの精査処理に対し、一時貯留部５１ｄおよび収納繰出部５２ｄを一時貯留部５１ｅおよび収納繰出部５２ｅに置き換えたものとなる。すなわち、紙幣を搬送路４２，２８の所定部分で構成される図１８に太線で示す第４精査処理ルートに沿って搬送させ、収納繰出部５２ｅの収納空間６１を一旦空にした後、「内部充填分配補充処理」および「収納処理」によって枚数の確定した紙幣を収納繰出部５２ｅの収納空間６１に収納させるのである。
【０１２５】
（５）一時貯留・収納繰出部４０ａの収納繰出部３８ａの精査処理
収納繰出部３８ａの収納空間４９の精査処理は、「入金処理」を経て収納した紙幣についての上記した「内部充填分配補充処理」と同じであり（図１０参照）、一旦、収納繰出部３８ａの収納空間４９を空にするとともに、一時貯留・収納繰出部４０ａ〜４０ｃ，５３ｄ，５３ｅのフラッパ４６，５６より上側に金種および枚数の確定した紙幣を集積させ、その後、上記した「収納処理」を行うことで、金種および枚数の確定した紙幣を収納繰出部３８ａ〜３８ｃ，５２ｄ，５２ｅの収納空間４９，６１に収納する。
【０１２６】
「回収処理」
一時貯留・収納繰出部４０ａ〜４０ｃ，５３ｄ，５３ｅに収納されている紙幣を回収する場合、オペレータにより上位機または操作部１４に回収処理を行う際の入力がなされると、制御部は、一時貯留部３３ｂ，３３ｃおよび収納繰出部３８ｂ，３８ｃのフラッパ４６，４６より上側が空の状態で、収納繰出部３８ｂ，３８ｃの収納空間４９に収納させていた紙幣を紙幣繰出部３９によって最下のものから一枚ずつ分離して繰り出させるとともに、一時貯留部５１ｄ，５１ｅが空の状態で、収納繰出部５２ｄ，５２ｅの収納空間６１に収納させていた紙幣を紙幣繰出部５４によって最下のものから一枚ずつ分離して繰り出させる。そして、これらの紙幣を、搬送路４２，２８の所定部分で構成される図１９に太線で示す回収処理ルートに沿って搬送させ、その途中の判別部４３の判別結果に基づいて振り分けを行う。
【０１２７】
すなわち、判別部４３で重送または斜行と判定された搬送異常紙幣はリジェクト収納部４４に送り込まれ、判別部４３で正常と判別された紙幣は、表裏が取り揃えられることなく、一時貯留・収納繰出部４０ａの一時貯留部３３ａにすべて送り込まれる。さらに、判別部４３で判別不能と判別された紙幣も、一時貯留・収納繰出部４０ａの一時貯留部３３ａに送り込まれる。
【０１２８】
このようにして、紙幣が、一時貯留部３３ａに送り込まれ、一時貯留部３３ａが満杯となると、制御部は、一旦、収納繰出部３８ｂ，３８ｃ，５２ｄ，５２ｅからの紙幣の繰り出しを停止し、一時貯留部３３ａのシャッタ３６，３６を開作動させ、それ自身またはそれに載置された紙幣をシャッタ３６，３６に近接させて閉状態で待機している収納繰出部３８ａのフラッパ４６，４６に紙幣を受け渡し、フラッパ４６，４６をその上に載置された紙幣がシャッタ３６，３６に干渉しない位置まで下降させて、シャッタ３６，３６を閉作動させて一時貯留部３３ａを空にする。
【０１２９】
そして、一時貯留部３３ａのフラッパ４６，４６へ紙幣を受け渡しシャッタ３６，３６の閉作動が完了すると、制御部は、再び収納繰出部３８ｂ，３８ｃ，５２ｄ，５２ｅの収納空間４９，６１から紙幣繰出部３９，５４により紙幣を繰り出させ、上記と同様にして、一時貯留部３３ａに送り込む。
【０１３０】
以上を繰り返して、収納繰出部３８ｂ，３８ｃ，５２ｄ，５２ｅの収納空間４９，６１からすべての収納紙幣が繰り出されて、リジェクト収納部４４および一時貯留部３３ａのいずれかに送り込まれ、収納繰出部３８ｂ，３８ｃ，５２ｄ，５２ｅの収納空間４９，６１が空になると、制御部は、一時貯留部３３ａのシャッタ３６，３６を開作動させ、収納繰出部３８ａのフラッパ４６，４６上に紙幣を受け渡し、フラッパ４６，４６をその上に載置された紙幣がシャッタ３６，３６に干渉しない位置まで下降させて、シャッタ３６，３６を閉作動させて、一時貯留部３３ａを空にし、さらに、フラッパ４６，４６を収納繰出部３８ａの収納空間４９にすでに収納されている紙幣に干渉しない範囲で下降させて、開作動させて、フラッパ４６，４６上の紙幣を収納空間４９に収納させた後、フラッパ４６，４６を上部待機位置まで移動させ閉作動させる。
【０１３１】
以上のようにして、収納繰出部３８ｂ，３８ｃ，５２ｄ，５２ｅの収納空間４９，６１の紙幣をすべて収納繰出部３８ａに収納し、下層ユニット２６を機体１０から引き出して、収納繰出部３８ａを機体１０から取り出して紙幣を回収する。
【０１３２】
なお、収納繰出部３８ｂ，３８ｃ，５２ｄ，５２ｅの収納空間４９，６１の紙幣をすべて収納繰出部３８ａに収納する前に収納繰出部３８ａが満杯になることもあるため、そのときは、満杯になった時点で処理を中断し、紙幣が取り出されて空となった収納繰出部３８ａが再装填されると、処理を再開する。なお、収納繰出部３８ｂ，３８ｃの少なくとも一方をも下層ユニット２６に対し着脱可能とすることで、収納繰出部３８ａで収納しきれない場合に、着脱可能な収納繰出部３８ｂ，３８ｃに収納して回収するようにしてもよい。
【０１３３】
以上に述べたように、本実施形態の貨幣入出金機によれば、その紙幣入出金部１１において、収納繰出部３８ａ，３８ｂ，３８ｃのビルプレス１０１が、フラッパ４６に接触可能とされ、昇降部材１０６の上昇時にフラッパ４６に接触するとこのフラッパ４６に押圧されて退避方向に揺動するように構成されているため、ビルプレス１０１を退避させる際にフラッパ４６に積極的に接触させながらの退避が可能となる。したがって、ビルプレス１０１の退避に対し干渉しない位置までフラッパを下降させる場合に比して、より低い位置までフラッパ４６の下降限度位置を下げることができる。
【０１３４】
また、昇降部材１０６の上昇時にフラッパ４６に押圧されて揺動する第１リンク部材１２６およびビルプレス本体１１５を有するビルプレス本体部１３５の揺動に連動して、第１ビルプレス部材１１９および第２ビルプレス部材１２０をビルプレス本体部１３５に格納する方向に揺動させるため、第１ビルプレス部材１１９および第２ビルプレス部材１２０が紙幣を効率的に押圧できるようにビルプレス本体部１３５から突出するようにしても、昇降部材１０６の上昇時にフラッパ４６に押圧されてビルプレス本体部１３５が揺動すると、この揺動に連動して第１ビルプレス部材１１９および第２ビルプレス部材１２０をビルプレス本体部１３５に格納する方向に揺動させることができる。したがって、昇降部材１０６の上昇時にフラッパ４６に押圧されてビルプレス本体部１３５が揺動する際に、このビルプレス本体部１３５と第１ビルプレス部材１１９および第２ビルプレス部材１２０とを有するビルプレス１０１の全体が小型化され、他部品との干渉が防止されることになる。しかも、ビルプレス本体部１３５の揺動に連動して、第１ビルプレス部材１１９および第２ビルプレス部材１２０をビルプレス本体部１３５に格納する方向に揺動させるため、第１ビルプレス部材１１９および第２ビルプレス部材１２０を揺動させる機構を簡素にできる。
【０１３５】
加えて、第１リンク部材１２６が、昇降部材１０６の上昇時にフラッパ４６に接触しこのフラッパ４６に押圧されて第１ビルプレス部材１１９を揺動させつつビルプレス本体１１５を揺動させるため、この第１リンク部材１２６を増やすのみで、第１リンク部材１２６およびビルプレス本体１１５を有するビルプレス本体部１３５の揺動に連動して第１ビルプレス部材１１９をビルプレス本体部１３５に格納する方向に揺動させることができる。また、このとき、第２リンク部材１３０が、ビルプレス本体１１５の揺動によりその係合部１３１が長孔１２９内を移動することで第２ビルプレス部材１２０を揺動させるため、この第２リンク部材１３０と長孔１２９とを増やすのみで、ビルプレス本体部１３５の揺動に連動して第２ビルプレス部材１２０をビルプレス本体部１３５に格納する方向に揺動させることができる。したがって、第１ビルプレス部材１１９および第２ビルプレス部材１２０を揺動させる機構を一層簡素にできる。
【０１３６】
さらに、フラッパ４６のビルプレス１０１を接触させる位置に、接触移動時の摩擦を転動することで軽減する係合ローラ１３３が設けられているため、ビルプレス１０１をフラッパ４６に接触させこのフラッパ４６で揺動させるようにしても、これらの接触部分に生じる摩耗を低減することができる。したがって、フラッパ４６およびビルプレス１０１の寿命を長く保つことができる。なお、回転自在の係合ローラ１３３に換えて、フラッパ４６に摩擦抵抗の少ない樹脂等の部材を設けるようにしてもよい。
【０１３７】
【発明の効果】
以上詳述したように、本発明の請求項１記載の紙幣入出金機によれば、ビルプレスが、載置部材に接触可能とされ、昇降部材の上昇時に載置部材に接触するとこの載置部材に押圧されて揺動するように構成されているため、ビルプレスを退避させる際に、ビルプレスの載置部材に接触しながらの退避が可能となる。したがって、ビルプレスの退避に対し干渉しない位置まで載置部材を下降させる場合に比して、より低い位置まで載置部材の下降限度位置を下げることができる。
【０１３８】
本発明の請求項２記載の紙幣入出金機によれば、昇降部材の上昇時に載置部材に押圧されて揺動するビルプレス本体部の揺動に連動して、ビルプレス部材をビルプレス本体部に格納する方向に揺動させるため、ビルプレス部材が紙幣を効率的に押圧できるようにビルプレス本体部から突出するようにしても、昇降部材の上昇時に載置部材に押圧されてビルプレス本体部が揺動すると、この揺動に連動してビルプレス部材をビルプレス本体部に格納する方向に揺動させることができる。したがって、昇降部材の上昇時に載置部材に押圧されてビルプレス本体部が揺動する際に、このビルプレス本体部とビルプレス部材とを有するビルプレスの全体が小型化され、他部品との干渉が防止されることになる。しかも、ビルプレス本体部の揺動に連動して、ビルプレス部材をビルプレス本体部に格納する方向に揺動させるため、ビルプレス部材を揺動させる機構を簡素にできる。
【０１３９】
本発明の請求項３記載の紙幣入出金機によれば、リンク部材が、昇降部材の上昇時に載置部材に接触しこの載置部材に押圧されてビルプレス部材を揺動させつつビルプレス本体を揺動させるため、このリンク部材を増やすのみで、ビルプレス本体部の揺動に連動してビルプレス部材をビルプレス本体部に格納する方向に揺動させることができる。したがって、ビルプレス部材を揺動させる機構をより一層簡素にできる。
【０１４０】
本発明の請求項４記載の紙幣入出金機によれば、リンク部材が、昇降部材の上昇時に揺動するビルプレス本体の揺動により長孔内を移動することでビルプレス部材を揺動させるため、このリンク部材と長孔とを増やすのみで、ビルプレス本体部の揺動に連動してビルプレス部材をビルプレス本体部に格納する方向に揺動させることができる。したがって、ビルプレス部材を揺動させる機構を一層簡素にできる。
【０１４１】
本発明の請求項５記載の紙幣入出金機によれば、第１のリンク部材が、昇降部材の上昇時に載置部材に接触しこの載置部材に押圧されて第１のビルプレス部材を揺動させつつビルプレス本体を揺動させるため、この第１のリンク部材を増やすのみで、ビルプレス本体部の揺動に連動して第１のビルプレス部材をビルプレス本体部に格納する方向に揺動させることができる。また、このとき、第２のリンク部材が、昇降部材の上昇時に揺動するビルプレス本体の揺動により長孔内を移動することで第２のビルプレス部材を揺動させるため、この第２のリンク部材と長孔とを増やすのみで、ビルプレス本体部の揺動に連動して第２のビルプレス部材をビルプレス本体部に格納する方向に揺動させることができる。したがって、第１のビルプレス部材および第２のビルプレス部材を揺動させる機構を一層簡素にできる。
【０１４２】
本発明の請求項６記載の紙幣入出金機によれば、載置部材のビルプレスを接触させる位置に、接触移動時の摩擦を軽減する摩擦軽減部材が設けられているため、載置部材に接触させこの載置部材でビルプレスを揺動させるようにしても、これらの接触部分に生じる摩耗を低減することができる。したがって、載置部材およびビルプレスの寿命を長く保つことができる。
【図面の簡単な説明】
【図１】  本発明の紙幣入出金機の一実施形態としての貨幣入出金機を示す斜視図である。
【図２】  同貨幣入出金機の紙幣入出金部の概略構成を示す側断面図である。
【図３】  同貨幣入出金機の紙幣入出金部のビルプレス、ビルプレス駆動装置およびフラッパ等の一状態を示す側断面図である。
【図４】  同貨幣入出金機の紙幣入出金部のビルプレス、ビルプレス駆動装置およびフラッパ等の別の状態を示す側断面図である。
【図５】  同貨幣入出金機の紙幣入出金部のビルプレス、ビルプレス駆動装置およびフラッパ等のさらに別の状態を示す側断面図である。
【図６】  同貨幣入出金機の紙幣入出金部のビルプレス、ビルプレス駆動装置およびフラッパ等のさらに別の状態を示す側断面図である。
【図７】  同貨幣入出金機の紙幣入出金部の入金処理ルートを示す側断面図である。
【図８】  同貨幣入出金機の紙幣入出金部の出金処理ルートを示す側断面図である。
【図９】  同貨幣入出金機の紙幣入出金部の入金口分配補充処理ルートを示す側断面図である。
【図１０】  同貨幣入出金機の紙幣入出金部の内部充填分配補充処理ルートを示す側断面図である。
【図１１】  同貨幣入出金機の紙幣入出金部の外部充填分配補充処理ルートを示す側断面図である。
【図１２】  同貨幣入出金機の紙幣入出金部の収納処理ルートを示す側断面図である。
【図１３】  同貨幣入出金機の紙幣入出金部の整理計数処理ルートを示す側断面図である。
【図１４】  同貨幣入出金機の紙幣入出金部の返却処理時における中層ユニットを引き出した状態を示す側断面図である。
【図１５】  同貨幣入出金機の紙幣入出金部の第１精査処理ルートを示す側断面図である。
【図１６】  同貨幣入出金機の紙幣入出金部の第２精査処理ルートを示す側断面図である。
【図１７】  同貨幣入出金機の紙幣入出金部の第３精査処理ルートを示す側断面図である。
【図１８】  同貨幣入出金機の紙幣入出金部の第４精査処理ルートを示す側断面図である。
【図１９】  同貨幣入出金機の紙幣入出金部の回収処理ルートを示す側断面図である。
【符号の説明】
３９  紙幣繰出部
４０ａ〜４０ｃ  一時貯留・収納繰出部（スタッカ）
４６  フラッパ（載置部材）
１０１  ビルプレス
１０２  ビルプレス駆動装置
１０６  昇降部材
１１５  ビルプレス本体
１１９  第１ビルプレス部材（ビルプレス部材，第１のビルプレス部材）
１２０  第２ビルプレス部材（ビルプレス部材，第２のビルプレス部材）
１２６  第１リンク部材（リンク部材）
１２９  長孔
１３０  第２リンク部材（リンク部材）
１３３  係合ローラ（摩擦軽減部材）
１３５  ビルプレス本体部
【図１】
0003901966.tif 000002
【図２】
0003901966.tif 000003
【図３】
0003901966.tif 000004
【図４】
0003901966.tif 000005
【図５】
0003901966.tif 000006
【図６】
0003901966.tif 000007
【図７】
0003901966.tif 000008
【図８】
0003901966.tif 000009
【図９】
0003901966.tif 000010
【図１０】
0003901966.tif 000011
【図１１】
0003901966.tif 000012
【図１２】
0003901966.tif 000013
【図１３】
0003901966.tif 000014
【図１４】
0003901966.tif 000015
【図１５】
0003901966.tif 000016
【図１６】
0003901966.tif 000017
【図１７】
0003901966.tif 000018
【図１８】
0003901966.tif 000019
【図１９】
0003901966.tif 000020